(57)【要約】【課題】発光演出のバリエーションを増やして興趣の向上を図り得る遊技機を提供する。【解決手段】図柄表示装置の表示部１８ａを挟む両側に演出装置Ｍ１,Ｍ２が配設される。各演出装置Ｍ１,Ｍ２は、表示部１８ａの前側を第１位置と第２位置との間を進退移動可能な可動体３８,４２を備える。表示部１８ａを挟んで対向する第１可動体３８の下端部および第３可動体４２の下端部に、他方の可動体３８,４２に向かう発光ラインを形成するライン用発光体が配設される。両可動体３８,４２が第１位置に移動した状態で、両可動体３８,４２のライン用発光体で形成される発光ラインが表示部１８ａを横切る方向に揃う。【選択図】図２０
2014028088.tif 000002
【特許請求の範囲】
【請求項１】
遊技球が流下する遊技領域が前側に設けられた遊技盤と、該遊技盤の前側に臨む表示部で図柄を変動表示可能な図柄表示装置とを備える遊技機において、
前記表示部を挟む両側に配設された一対の演出装置と、
前記一対の演出装置を個別に制御する制御手段とを備え、
前記演出装置は、
前記表示部の前側を該表示部の中央側に対して進退移動可能な可動体と、
前記可動体に配設されて、発光により他方の可動体側に向かう発光ラインを形成し得る発光手段と、
前記可動体を前記表示部の中央側に近接する第１位置および中央側から離間する第２位置の間を移動させる駆動手段とを有し、
前記両可動体が第１位置に移動した状態で、両可動体の発光手段で形成される発光ラインが、前記表示部を横切る方向に揃うよう構成した
ことを特徴とする遊技機。
【請求項２】
前記一対の演出装置の内の一方の演出装置は、前記可動体の移動方向と交差する方向に２つの可動体が並ぶように設けられ、
前記一方の演出装置における２つの可動体の発光手段は、両可動体の対向端部に並んで配設され、
前記制御手段は、一方の演出装置における片方の可動体の発光手段を発光させた状態または両方の可動体の発光手段を発光させた状態に切換えるように各発光手段を制御する請求項１記載の遊技機。
【請求項３】
前記一対の演出装置の内の他方の演出装置は、前記可動体の移動方向と交差する方向に２つの可動体が並ぶように設けられ、
前記他方の演出装置における２つの可動体の発光手段は、両可動体の対向端部に並んで配設され、
前記制御手段は、他方の演出装置における片方の可動体の発光手段を発光させた状態または両方の可動体の発光手段を発光させた状態に切換えるように各発光手段を制御する請求項２記載の遊技機。
【請求項４】
前記演出装置で実行可能な複数の演出パターンから１つを決定する演出パターン決定手段を備え、
前記演出パターンは、
前記表示部を挟む両側の各可動体を第１位置に移動すると共に、各可動体の発光手段を発光する第１の演出パターンと、
前記表示部を挟む一方側で対をなす２つの可動体の片方および表示部を挟む他方側で対をなす２つの可動体の片方を第１位置に移動すると共に、該第１位置に移動した可動体の発光手段を発光する第２の演出パターンと、
前記表示部を挟む一方側または他方側の何れか一方で対をなす２つの可動体の両方を第２位置に位置させた状態で他方で対をなす２つの可動体の両方を第１位置に移動すると共に、第１位置に移動した可動体の発光手段を発光する第３の演出パターンとを含み、
前記制御手段は、前記演出パターン決定手段が決定した演出パターンを実行するように前記演出装置を制御する請求項３記載の遊技機。
【請求項５】
前記遊技領域を流下する遊技球が入賞可能な始動入賞手段と、該始動入賞手段への入賞を契機として遊技者に特典を付与するか否かを判定する特典付与判定手段とを備え、
前記制御手段が前記第１の演出パターンを実行した際に遊技者に特典が付与される信頼度は、該制御手段が前記第２および第３の演出パターンを実行した際に遊技者に特典が付与される信頼度より高く設定される請求項４記載の遊技機。
【請求項６】
前記制御手段は、前記第１位置において可動体の移動方向と交差する方向に並ぶ２つの可動体を、発光手段を発光した状態で相互に離間するように前記演出装置を制御する請求項２〜５の何れか一項に記載の遊技機。
【請求項７】
前記発光手段は、発光ラインに沿って並ぶ複数の発光体から構成され、前記制御手段は、各発光体を個別に制御可能に構成した請求項１〜６の何れか一項に記載の遊技機。
【請求項８】
前記可動体は、前記表示部の中央側に対して斜めに進退移動するよう構成され、前記発光手段は、可動体の移動方向に沿って延在するよう配設した請求項１〜７の何れか一項に記載の遊技機。
【請求項９】
前記遊技盤には、前記表示部の外側に、前記可動体の発光手段で形成される発光ラインの延長線上に第２の発光手段を備えた請求項１〜８の何れか一項に記載の遊技機。
【発明の詳細な説明】
【技術分野】
【０００１】
この発明は、図柄表示装置を備えた遊技機に関するものである。
【背景技術】
【０００２】
代表的な遊技機であるパチンコ機は、遊技盤の前側に画成した遊技領域の略中央位置に枠状の枠状装飾部材(所謂センター役物)が配設されており、この枠状装飾部材の開口部を介して複数の図柄を変動表示して図柄変動演出を行なう液晶式やドラム式等の図柄表示装置を後方から臨ませると共に、該遊技盤における枠状装飾部材の下方位置に、パチンコ球(遊技球)の入賞により図柄表示装置での変動を開始させる始動入賞装置や当り時に開放する特別入賞装置を配設するよう構成されたものが多数提案されている。この種のパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、所定数の賞球が払い出されると共に、前記図柄表示装置での図柄変動演出に伴うリーチ演出等の各種の遊技演出がなされ、該図柄表示装置に図柄が所定の組合わせで停止することにより所謂当りが発生し、前記特別入賞装置が開放して多数の賞球を獲得し得るよう構成される。
【０００３】
またパチンコ機では、リーチ予告時、リーチ発生時、当り予告時、当り発生時等に合わせて、遊技盤に備えた発光装置によって光による演出を行なうことで、視覚的な演出効果を向上させて遊技の興趣を高めている(例えば、特許文献１参照)。特許文献１では、遊技盤における図柄表示装置の表示画面を跨ぐ位置に発光部を夫々配設し、表示画面に表示される画像と各発光部の発光とを組み合わせることで、あたかも画面が切り裂かれる演出を行ない得るよう構成されている。
【先行技術文献】
【特許文献】
【０００４】
【特許文献１】特開２００４−２８３２４６号公報
【発明の概要】
【発明が解決しようとする課題】
【０００５】
特許文献１のパチンコ機では、図柄表示装置の表示画面を跨ぐ位置に配設されている発光部の位置は固定であるため、発光演出のバリエーションが少なく、ワンパターンとなって演出の興趣を充分に向上し得るものではなかった。
【０００６】
すなわち本発明は、従来の技術に係る遊技機に内在する前記課題に鑑み、これを好適に解決するべく提案されたものであって、発光演出のバリエーションを増やして興趣の向上を図り得る遊技機を提供することを目的とする。
【課題を解決するための手段】
【０００７】
前記課題を克服し、所期の目的を達成するため、本願の請求項１に係る発明は、
遊技球が流下する遊技領域(21a)が前側に設けられた遊技盤(21)と、該遊技盤(21)の前側に臨む表示部(18a)で図柄を変動表示可能な図柄表示装置(18)とを備える遊技機において、
前記表示部(18a)を挟む両側に配設された一対の演出装置(M1,M2)と、
前記一対の演出装置(M1,M2)を個別に制御する制御手段(123a,124a)とを備え、
前記演出装置(M1,M2)は、
前記表示部(18a)の前側を該表示部(18a)の中央側に対して進退移動可能な可動体(38,39,42,43)と、
前記可動体(38,39,42,43)に配設されて、発光により他方の可動体(38,39,42,43)側に向かう発光ラインを形成し得る発光手段(55a,73a,91a,109a)と、
前記可動体(38,39,42,43)を前記表示部(18a)の中央側に近接する第１位置および中央側から離間する第２位置の間を移動させる駆動手段(50,68,86,104)とを有し、
前記両可動体(38,39,42,43)が第１位置に移動した状態で、両可動体(38,39,42,43)の発光手段(55a,73a,91a,109a)で形成される発光ライン(L1,L2,L3,L4)が、前記表示部(18a)を横切る方向に揃うよう構成したことを要旨とする。
【０００８】
請求項１の発明によれば、表示部を挟む両側で進退移動する可動体に設けた発光手段を発光することで、発光手段で形成される発光ラインによって図柄表示装置の表示部を切り裂く演出を行なうことができる。また、発光手段を可動体に設けたので、該発光手段で形成される発光ラインの長さや位置を変えることができ、発光演出のバリエーションを増やして興趣を向上し得る。
【０００９】
請求項２に係る発明では、前記一対の演出装置(M1,M2)の内の一方の演出装置(M1,M2)は、前記可動体(38,39,42,43)の移動方向と交差する方向に２つの可動体(38,39,42,43)が並ぶように設けられ、
前記一方の演出装置(M1,M2)における２つの可動体(38,39,42,43)の発光手段(55a,73a,91a,109a)は、両可動体(38,39,42,43)の対向端部に並んで配設され、
前記制御手段(123a,124a)は、一方の演出装置(M1,M2)における片方の可動体(38,39,42,43)の発光手段(55a,73a,91a,109a)を発光させた状態または両方の可動体(M1,M2)の発光手段(55a,73a,91a,109a)を発光させた状態に切換えるように各発光手段(55a,73a,91a,109a)を制御することを要旨とする。
請求項２の発明によれば、発光ラインの太さを変更することができ、発光演出のバリエーションをより増やすことができる。
【００１０】
請求項３に係る発明では、前記一対の演出装置(M1,M2)の内の他方の演出装置(M1,M2)は、前記可動体(38,39,42,43)の移動方向と交差する方向に２つの可動体(38,39,42,43)が並ぶように設けられ、
前記他方の演出装置(M1,M2)における２つの可動体(38,39,42,43)の発光手段(55a,73a,91a,109a)は、両可動体(38,39,42,43)の対向端部に並んで配設され、
前記制御手段(123a,124a)は、他方の演出装置(M1,M2)における片方の可動体(38,39,42,43)の発光手段(55a,73a,91a,109a)を発光させた状態または両方の可動体(38,39,42,43)の発光手段(55a,73a,91a,109a)を発光させた状態に切換えるように各発光手段(55a,73a,91a,109a)を制御することを要旨とする。
請求項３の発明によれば、長い発光ラインの太さを変更することができ、発光演出のバリエーションをより増やすことができる。
【００１１】
請求項４に係る発明では、前記演出装置(M1,M2)で実行可能な複数の演出パターンから１つを決定する演出パターン決定手段(124a)を備え、
前記演出パターンは、
前記表示部(18a)を挟む両側の各可動体(38,39,42,43)を第１位置に移動すると共に、各可動体(38,39,42,43)の発光手段(55a,73a,91a,109a)を発光する第１の演出パターンと、
前記表示部(18a)を挟む一方側で対をなす２つの可動体(38,39,42,43)の片方および表示部(18a)を挟む他方側で対をなす２つの可動体(38,39,42,43)の片方を第１位置に移動すると共に、該第１位置に移動した可動体(38,39,42,43)の発光手段(55a,73a,91a,109a)を発光する第２の演出パターンと、
前記表示部(18a)を挟む一方側または他方側の何れか一方で対をなす２つの可動体(38,39,42,43)の両方を第２位置に位置させた状態で他方で対をなす２つの可動体(38,39,42,43)の両方を第１位置に移動すると共に、第１位置に移動した可動体(38,39,42,43)の発光手段(55a,73a,91a,109a)を発光する第３の演出パターンとを含み、
前記制御手段(123a,124a)は、前記演出パターン決定手段(124a)が決定した演出パターンを実行するように前記演出装置(M1,M2)を制御することを要旨とする。
請求項４の発明によれば、制御手段は、演出パターンに基づいて演出装置を制御するので、該制御手段の制御負荷を軽減し得る。
【００１２】
請求項５に係る発明では、前記遊技領域(21a)を流下する遊技球が入賞可能な始動入賞手段(25,26)と、該始動入賞手段(25,26)への入賞を契機として遊技者に特典を付与するか否かを判定する特典付与判定手段(123a)とを備え、
前記制御手段(123a,124a)が前記第１の演出パターンを実行した際に遊技者に特典が付与される信頼度は、該制御手段(123a,124a)が前記第２および第３の演出パターンを実行した際に遊技者に特典が付与される信頼度より高く設定されることを要旨とする。
請求項５の発明によれば、演出装置で実行される演出の種類に関心を惹くことができ、遊技の興趣を向上し得る。
【００１３】
請求項６に係る発明では、前記制御手段(123a,124a)は、前記第１位置において可動体(38,39,42,43)の移動方向と交差する方向に並ぶ２つの可動体(38,39,42,43)を、発光手段(55a,73a,91a,109a)を発光した状態で相互に離間するように前記演出装置(M1,M2)を制御することを要旨とする。
請求項６の発明によれば、発光手段を並べて配置した可動体を相互に離間移動することで、発光ラインの太さの変化によって表示部を切り裂く演出を強調することができる。
【００１４】
請求項７に係る発明では、前記発光手段(55a,73a,91a,109a)は、発光ライン(L1,L2,L3,L4)に沿って並ぶ複数の発光体(55a,73a,91a,109a)から構成され、前記制御手段(123a,124a)は、各発光体(55a,73a,91a,109a)を個別に制御可能に構成したことを要旨とする。
請求項７の発明によれば、発光体を順次点灯したり順次消灯することで、更に発光演出のバリエーションを増やして面白みのある発光演出を行ない得る。
【００１５】
請求項８に係る発明では、前記可動体(38,39,42,43)は、前記表示部(18a)の中央側に対して斜めに進退移動するよう構成され、前記発光手段(55a,73a,91a,109a)は、可動体(38,39,42,43)の移動方向に沿って延在するよう配設したことを要旨とする。
請求項８の発明によれば、発光手段により形成する発光ラインを長くすることができる。
【００１６】
請求項９に係る発明では、前記遊技盤(21)には、前記表示部(18a)の外側に、前記可動体(38,39,42,43)の発光手段(55a,73a,91a,109a)で形成される発光ライン(L1,L2,L3,L4)の延長線上に第２の発光手段(116,117,118,119)を備えたことを要旨とする。
請求項９の発明によれば、より長い発光ラインを形成することができ、発光演出の興趣を向上し得る。
【発明の効果】
【００１７】
本発明に係る遊技機によれば、発光演出のバリエーションを増やして演出の幅を広げることができ、遊技の興趣を向上し得る。
【図面の簡単な説明】
【００１８】
【図１】本発明の実施例に係るパチンコ機を示す正面図である。
【図２】実施例のパチンコ機を、中枠に対して前枠を開放した状態で示す概略斜視図であって、前枠の透視保護板や遊技盤における案内レールの内側に配設される各種遊技部品を省略している。
【図３】実施例に係る遊技盤を、第１および第２演出装置の各可動体が第２位置にある状態で示す概略正面図である。
【図４】実施例に係る遊技盤に設置部材を配設した状態を後側から視た概略斜視図である。
【図５】実施例に係る設置部材を、各演出装置を配設した状態で示す概略正面図であって、各可動体は第２位置にある状態で示している。
【図６】実施例に係る第１演出装置を示す正面図であって、各可動体を第２位置にある状態で示すと共に光装飾体の表面に現われる模様を省略している。
【図７】実施例に係る第１演出装置の第１可動体ユニットを第１可動体が第２位置にある状態で示す要部側面図である。
【図８】実施例に係る第１演出装置の第２可動体ユニットを第２可動体が第２位置にある状態で示す要部側面図である。
【図９】実施例に係る第１可動体ユニットを分解して前側から視た概略斜視図である。
【図１０】実施例に係る第２可動体ユニットを分解して前側から視た概略斜視図である。
【図１１】実施例に係る第２演出装置を示す正面図であって、各可動体を第２位置にある状態で示すと共に光装飾体の表面に現われる模様を省略している。
【図１２】実施例に係る第２演出装置の第３可動体ユニットを第３可動体が第２位置にある状態で示す要部側面図である。
【図１３】実施例に係る第２演出装置の第４可動体ユニットを第４可動体が第２位置にある状態で示す要部側面図である。
【図１４】実施例に係る第３可動体ユニットを分解して前側から視た概略斜視図である。
【図１５】実施例に係る第４可動体ユニットを分解して前側から視た概略斜視図である。
【図１６】実施例に係る遊技機の主要な制御ブロック図である。
【図１７】実施例に係る演出装置で実施可能な動作演出パターンを示す説明図である。
【図１８】実施例に係る演出装置で実施可能な動作演出パターンと信頼度との関係、および動作演出パターン振分け抽選テーブルを示す説明図である。
【図１９】動作演出パターンと表示演出パターンとの関係を示す説明図である。
【図２０】実施例に係る遊技盤を、第１〜第４可動体が第１位置にある状態で示す概略正面図である。
【図２１】実施例に係る遊技盤を、第１、第２および第３可動体のみが第１位置にある状態で示す概略正面図である。
【図２２】実施例に係る遊技盤を、第１および第３可動体のみが第１位置にある状態で示す概略正面図である。
【図２３】実施例に係る遊技盤を、第２および第４可動体のみが第１位置にある状態で示す概略正面図である。
【図２４】実施例に係る遊技盤を、第１および第４可動体のみが第１位置にある状態で示す概略正面図である。
【図２５】実施例に係る遊技盤を、第２および第３可動体のみが第１位置にある状態で示す概略正面図である。
【図２６】実施例に係る遊技盤を、第１および第２可動体のみが第１位置にある状態で示す概略正面図である。
【図２７】実施例に係る遊技盤を、第１可動体のみが第１位置にある状態で示す概略正面図である。
【発明を実施するための形態】
【００１９】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００２０】
(パチンコ機１０について)
実施例に係るパチンコ機１０は、図１または図２に示すように、前後に開口する矩形枠状に形成されて遊技店の図示しない設置枠台に縦置き姿勢で設置される固定枠としての外枠１１の開口前面側に、遊技盤２１を着脱可能に保持する本体枠としての中枠１２が開閉および着脱可能に組み付けられて、該遊技盤２１の裏側に、各種図柄を変動表示可能な図柄表示装置１８が着脱可能に配設されている。また、前記中枠１２の前面側には、前記遊技盤２１を透視保護するガラス板や透明な合成樹脂材により形成された透視保護板１３ｂで前後に開口する窓部１３ａを覆うよう構成された前枠１３が開閉可能に組み付けられると共に、該前枠１３の下方にパチンコ球を貯留する下球受け皿１５が開閉可能に組み付けられる。なお、実施例では、前記前枠１３の下部位置に、パチンコ球を貯留する上球受け皿１４が一体的に組み付けられており、前枠１３の開閉に合わせて上球受け皿１４も一体的に開閉するよう構成される。なお、前記上球受け皿１４は、前記前枠１３と別体に形成してもよい。また、球受け皿については、上下２枚の球受け皿１４,１５を備えるものに限らず、１枚の球受け皿のみを設ける構成であってもよい。実施例では、前記図柄表示装置１８として、各種図柄を表示可能な液晶パネルを収容ケースに収容した液晶表示装置が採用されるが、これに限られるものではなく、ドラム式の図柄表示装置やドットマトリックス式の図柄表示装置等の各種図柄を停止および変動表示可能な従来公知の各種の図柄表示装置を採用し得る。なお、図柄表示装置は、演出用の図柄(所謂飾図)のみを変動表示するものではなく、キャラクタ図柄、背景図柄、予告図柄等、その他の各種図柄も変動表示可能に構成されている。
【００２１】
前記前枠１３の右下方位置には、前記中枠１２に配設された打球発射装置１６を作動する操作ハンドル１７が設けられている。前記操作ハンドル１７は、左回転方向に付勢された操作レバー１７ａを備えており、該操作レバー１７ａを右回転するよう遊技者が回動操作することで打球発射装置１６が作動されて、前記上球受け皿１４に貯留されたパチンコ球が前記遊技盤２１に向けて発射されるようになっている。
【００２２】
(外枠１１について)
前記外枠１１は、上下左右の４つの枠部材を相互に組み付けることで縦長の矩形枠体として構成されるものであって、４つの枠部材で画成される開口領域に対し、前記中枠１２が開閉および着脱自在に支持されて、外枠１１に対して中枠１２を閉成することで、該外枠１１の内側に中枠１２が収容されるよう構成される。
【００２３】
(中枠１２について)
図２に示すように、前記中枠１２は、上縁をなす上枠部材１２ａと、下縁をなし、打球発射装置１６を設置する設置部として機能する下枠部材１２ｂと、左縁(一方の側縁)をなす左枠部材１２ｃと、右縁(他方の側縁)をなす右枠部材１２ｄとから構成されて、これら上下左右の枠部材１２ａ,１２ｂ,１２ｃ,１２ｄを組み付けた際に、全体が外枠１１の開口領域に整合する大きさに形成される。そして、外枠１１に対して中枠１２の左枠部材１２ｃ側が、ヒンジ機構１９を介して回動自在に支持されて、右枠部材１２ｄが施錠装置(図示せず)により施錠されるようになっている。また、中枠１２には、上下左右の枠部材１２ａ,１２ｂ,１２ｃ,１２ｄを組み付けることで前後に開口する遊技盤保持部２０が画成され、該遊技盤保持部２０に遊技盤２１が着脱自在にセット保持される。図１,図２において、遊技盤２１の前面に配設されている各種の遊技部品は、後述する案内レール２２を除いて図示省略してある。また、図２においては、前枠１３に配設されている透視保護板１３ｂも図示省略している。
【００２４】
(遊技盤２１について)
前記遊技盤２１は、図２〜図３に示すように、前記中枠１２の遊技盤保持部２０に整合する略正方形に形成された所定板厚の木材板の表面に、各種絵柄等が描かれた合成樹脂シート(図示せず)等を貼付けて装飾した板部材であって、該遊技盤２１の表面(盤面)に配設された略円形状に湾曲形成する案内レール２２により、パチンコ球が流下可能な遊技領域２１ａが画成されている。また、前記遊技盤２１の裏側に、図４に示す如く、前記図柄表示装置１８が着脱自在に取り付けられる設置部材２３が配設されており、該設置部材２３に形成された前後に開口する開口部２３ａを介して図柄表示装置１８の表示部１８ａを前側から視認し得るよう構成される。遊技盤２１には、前記案内レール２２で囲まれた遊技領域２１ａの略中央の大部分が開口する装着口(図示せず)に、前後に開口する開口部２４ａが形成された枠状装飾部材２４が取り付けられ、該枠状装飾部材２４の開口部２４ａを介して図柄表示装置１８の表示部１８ａが遊技盤２１の前面側に臨むよう構成されている。なお、実施例では、遊技盤２１に配設された枠状装飾部材２４の開口部２４ａが、図柄表示装置１８の表示部１８ａを前側から視認可能とする可視部となる。
【００２５】
前記遊技盤２１には、図３に示す如く、前記枠状装飾部材２４の下方に、遊技領域２１ａを流下するパチンコ球が入賞可能な第１始動入賞口２５ａを備えた第１始動入賞装置(始動入賞手段)２５および特別入賞装置２７が配設される。実施例のパチンコ機１０では、前記枠状装飾部材２４における特別入賞装置２７の上方に位置に、遊技領域２１ａを流下するパチンコ球が入賞可能な第２始動入賞口２６ａを備えた第２始動入賞装置(始動入賞手段)２６が配設されている。
【００２６】
(始動入賞装置２５,２６について)
前記第１始動入賞装置２５は、第１始動入賞口２５ａを遊技領域２１ａ内で常に上方へ開口する常時開放タイプの入賞口とされている。これに対し、第２始動入賞装置２６は、第２始動入賞口２６ａを開閉可能に構成された開閉部材３１が設けられており、駆動手段としての始動入賞ソレノイド３２(図１６参照)の駆動に伴って開閉部材３１が第２始動入賞口２６ａを閉鎖する閉鎖位置と開放する開放位置に変位するよう構成されている。すなわち、実施例において前記第１始動入賞口２５ａは、前記遊技領域２１ａを流下するパチンコ球が常時一定の確率で入賞可能に構成され、第２始動入賞口２６ａは、始動入賞ソレノイド３２を駆動することでパチンコ球の入賞確率を可変し得るよう構成されている。ここで、前記開閉部材３１が閉鎖位置に変位した状態では、前記第２始動入賞口２６ａへのパチンコ球の入賞が阻止されて、第１始動入賞口２５ａへパチンコ球が入賞する確率よりも第２始動入賞口２６ａへパチンコ球が入賞する確率が低確率となるよう設定される一方、開閉部材３１が開放位置に変位した状態では、開閉部材３１で受止められたパチンコ球が第２始動入賞口２６ａに案内されて、第１始動入賞口２５ａへパチンコ球が入賞する確率よりも高確率となるよう設定されている。
【００２７】
前記第１始動入賞装置２５に、第１始動入賞口２５ａに入賞したパチンコ球を検出する始動入賞検出手段としての第１始動入賞検出センサ２５ｂ(図１６参照)が設けられると共に、第２始動入賞装置２６に、第２始動入賞口２６ａに入賞したパチンコ球を検出する始動入賞検出手段としての第２始動入賞検出センサ２６ｂ(図１６参照)が設けられている。両始動入賞検出センサ２５ｂ,２６ｂは、パチンコ機１０の裏側に配設されたメイン制御基板１２３に電気的に接続されており、該始動入賞検出センサ２５ｂ,２６ｂによるパチンコ球の検出(すなわち第１および第２始動入賞口２５ａ,２６ａへのパチンコ球の入賞)を契機として所定数(例えば３個)の賞球が払い出されるようになっている。また、始動入賞検出センサ２５ｂ,２６ｂによるパチンコ球の検出に伴って各種情報(各種乱数情報)が取得され、この取得した情報に基づいて大当り抽選(大当り判定)が行われるよう構成されている。そして、大当り抽選の結果に基づいて前記図柄表示装置１８において図柄変動演出が実行され、該図柄変動演出の結果、図柄表示装置１８に所定の組み合わせ(例えば同一図柄の３つ揃い等)で図柄が停止表示されることで、遊技者に有利な大当り遊技(当り遊技)が付与され、大当り遊技の発生に伴って前記特別入賞装置２７を所定の開放条件で開放する大当り遊技が行われて、遊技者が賞球を獲得し得る機会が与えられるよう構成されている。
【００２８】
(特別入賞装置２７について)
前記特別入賞装置２７は、図３に示すように、遊技領域２１ａに開口する特別入賞口(図示せず)を開閉自在に閉成する開閉扉(開閉部材,開閉手段)２７ａを備えており、駆動手段としての特別入賞ソレノイド３４(図１６参照)の駆動に伴って開閉扉２７ａが閉鎖する閉鎖位置と開放する開放位置に変位するよう構成されている。なお、実施例では、前記開閉扉２７ａが前後方向へ進退移動することで特別入賞口を開閉するよう構成されており、該開閉扉２７ａにより特別入賞口が閉鎖された状態を図３に示す。また、前記特別入賞装置２７には、前記特別入賞口に入賞したパチンコ球を検出する特別入賞検出手段としての特別入賞検出センサ２７ｂ(図１６参照)が設けられている。特別入賞検出センサ２７ｂは、前記メイン制御基板１２３に電気的に接続されており、該特別入賞検出センサ２７ｂからメイン制御基板１２３への球検出信号の入力に伴って所定数(例えば１５個)の賞球が払い出されるようになっている。ここで、前記特別入賞ソレノイド３４は、前記始動入賞口２５ａ,２６ａへのパチンコ球の入賞を契機として特別入賞装置２７を開放する大当り遊技が付与される場合に、当りの種類(図柄の種類)に応じた所定の開閉条件に従ってメイン制御基板１２３によって駆動制御される。
【００２９】
(球通過ゲート３５について)
図３に示すように、前記枠状装飾部材２４の右側には、遊技領域２１ａを流下するパチンコ球が通過可能な球通過ゲート３５が設けられている。前記球通過ゲート３５には通過球検出センサ３５ａ(図１６参照)が配設されており、該球通過ゲート３５を通過するパチンコ球を通過球検出センサ３５ａで検出するよう構成されている。前記通過球検出センサ３５ａは、前記メイン制御基板１２３に配線接続されており、該通過球検出センサ３５ａからメイン制御基板１２３への球検出信号の入力(すなわちパチンコ球の検出)に伴って普図当り抽選が行われ、該普図当り抽選の結果に応じて前記第２始動入賞装置２６の始動入賞ソレノイド３２が駆動制御されて開閉部材３１が開閉動作するようになっている。
【００３０】
(設置部材２３について)
前記設置部材２３は、図４に示す如く、前記遊技盤２１の外郭形状より僅かに小さい形状に形成された略矩形状の背面板(設置面部)２９と、該背面板２９の外周縁部から前方に突出する画壁部３０とから前方に開口した箱状に形成されて、該画壁部３０の開口前端部を遊技盤２１の裏面に当接させた状態で、当該遊技盤２１と設置部材２３とがネジ止め固定される。そして、前記設置部材２３において前記遊技盤２１との間に画成される空間に、複数の演出装置Ｍ１,Ｍ２が設置されて、設置部材２３を基材とする１つのユニットとして扱い得るようになっている。前記設置部材２３の背面板２９の裏側には、前記図柄表示装置１８の設置領域Ｓが矩形状に画成されると共に、該設置領域Ｓ内における前記枠状装飾部材２４の開口部２４ａと前後に整列する位置に、略矩形状の開口部２３ａが前後に開口するよう開設される。そして、設置領域Ｓに臨む背面板２９の裏面に、前記図柄表示装置１８における表示部１８ａの外周前面を当接した状態で、該図柄表示装置１８が着脱自在に取り付けられて、前記開口部２３ａ,２４ａを介して図柄表示装置１８の表示部１８ａが遊技盤２１の前側に臨むようになっている。なお、以下の説明では、設置部材２３の背面板２９について、開口部２３ａに対する上下左右の各部位を、上板部２９ａ,下板部２９ｂ,左板部２９ｃ,右板部２９ｄと指称して区別する場合もある。また、実施例では、図４に示す如く、開口部２３ａを画成する左右の開口端縁(上下方向に延在する開口端縁)を第１の辺２９ｅと指称すると共に、開口部２３ａを画成する上下の開口端縁(左右方向に延在する開口端縁)を第２の辺２９ｆと指称した場合に、上側の第２の辺２９ｆを左右の画壁部３０まで延長した線より上方に臨む領域を上板部２９ａ、下側の第２の辺２９ｆを左右の画壁部３０まで延長した線より下方に臨む領域を下板部２９ｂ、左側の第１の辺２９ｅより左方であって上下の第２の辺２９ｆ,２９ｆの延長線の間に臨む領域を左板部２９ｃ、右側の第１の辺２９ｅより右方であって上下の第２の辺２９ｆ,２９ｆの延長線の間に臨む領域を右板部２９ｃとして説明する。
【００３１】
(演出装置Ｍ１,Ｍ２について)
図５に示すように、前記設置部材２３の背面板２９における開口部２３ａの左側前面(左板部２９ｃの前面)に、第１演出装置Ｍ１が配設されると共に、背面板２９における開口部２３ａの右側前面(右板部２９ｄの前面)に、第２演出装置Ｍ２が配設されている。第１演出装置Ｍ１は、上下で対をなす２基の可動体ユニット３６,３７を備え、各可動体ユニット３６,３７に可動体３８,３９が移動自在に配設されている。また、第２演出装置Ｍ２についても、上下で対をなす２基の可動体ユニット４０,４１を備え、各可動体ユニット４０,４１に可動体４２,４３が移動自在に配設されている。実施例では、後述するように各可動体３８,３９,４２,４３は背面板２９の前面に沿って横方向に移動するよう構成されて、第１演出装置Ｍ１で対をなす可動体３８,３９は、当該可動体３８,３９の移動方向と交差する上下方向に並んで配置されている(図６参照)。また、第２演出装置Ｍ２で対をなす可動体４２,４３についても、該可動体４２,４３は、当該可動体４２,４３の移動方向と交差する上下方向に並んで配置されている(図１１参照)。実施例では、第１演出装置Ｍ１における上側の可動体ユニット３６を第１可動体ユニット３６と指称し、下側の可動体ユニット３７を第２可動体ユニット３７と指称し、第２演出装置Ｍ２における上側の可動体ユニット４０を第３可動体ユニット４０と指称し、下側の可動体ユニット４１を第４可動体ユニット４１と指称するものとする。
【００３２】
(第１可動体ユニット３６について)
前記第１演出装置Ｍ１は、図５に示す如く、前記背面板２９の前面における上板部２９ａの左隅部から左板部２９ｃにかけて配設されて、第１可動体３８の支持基体となる第１基体４４を備える。この第１基体４４は、上板部２９ａの前面に重なる駆動系取付部４４ａと、該駆動系取付部４４ａから下方に延在して左板部２９ｃの前面に重なるガイド取付部４４ｂとを備え、両取付部４４ａ,４４ｂが対応する板部２９ａ,２９ｃにネジ止め固定されている。駆動系取付部４４ａに、前後方向に貫通する第１長孔４５が形成されると共に、ガイド取付部４４ｂの下端部に、前記第１長孔４５と平行に延在する第１ガイド溝４６が設けられており、第１基体４４に対して第１可動体３８が、第１長孔４５および第１ガイド溝４６で案内されて背面板２９の前面に沿って往復移動自在に支持されている。前記第１長孔４５および第１ガイド溝４６は、左側から右側に向かうにつれて上方傾斜するように形成される。すなわち、第１基体４４には、上下方向(第１基体４４の長手方向)に離間して第１長孔４５と第１ガイド溝４６とが、背面板２９における開口部２３ａから離間する位置から該開口部２３ａに近接するにつれて上方傾斜するように延在し、第１長孔４５および第１ガイド溝４６で案内される第１可動体３８は、斜めに平行移動するよう構成される。
【００３３】
前記駆動系取付部４４ａは、図５に示す如く、前記上板部２９ａにおける左端(左側の画壁部３０の接続部)から前記背面板２９に開設した前記開口部２３ａを画成する上側の開口端縁である前記第２の辺２９ｆの上側に臨む位置まで延在している。すなわち、駆動系取付部４４ａに形成される第１長孔４５は、背面板２９における左上隅部から前記開口部２３ａの上側に臨む位置まで延在し、左板部２９ｃの前側の第２位置に臨む前記第１可動体３８が、後述する第１装飾体５２の略全体を開口部２３ａの前側に臨ませる位置(第１位置)に移動するまで該第１長孔４５で第１可動体３８を案内支持し得るようになっている。
【００３４】
前記第１ガイド溝４６は、図７,図９に示す如く、ガイド取付部４４ｂの下端部に前後から取り付けられる前板４６ａおよび後板４６ｂによって、ガイド取付部４４ｂの前側において上方に開放するように形成される。また第１ガイド溝４６は、左板部２９ｃにおける左右方向の全幅に亘って、前記左側の第１の辺２９ｅと交差する方向に延在している。なお、前板４６ａおよび後板４６ｂの対向面には、第１ガイド溝４６に沿って延在する突条４６ｃ,４６ｃが対向して設けられ、第１可動体３８の後述する第１被ガイド部５９を両突条４６ｃ,４６ｃによって前後から支持し得るよう構成される。
【００３５】
前記第１基体４４の駆動系取付部４４ａに、第１モータ取付部材４７が前側から取り付けられると共に、該第１モータ取付部材４７と駆動系取付部４４ａとの間に画成される空間内に、駆動系取付部４４ａおよび第１モータ取付部材４７間に回転自在に支持された第１駆動歯車４８および該第１駆動歯車４８に噛合する第１従動歯車４９が臨んでいる。第１モータ取付部材４７の前面に第１駆動モータ(駆動手段)５０が配設され、該第１駆動モータ５０が第１駆動歯車４８に接続されている。なお、第１モータ取付部材４７と駆動系取付部４４ａとの間の空間は、図７に示す如く下方に開放し、前記第１可動体３８の後述する第１ラック５１ａが該空間に臨んで第１従動歯車４９に噛合可能に構成される。
【００３６】
前記第１基体４４の前側に移動自在に支持される前記第１可動体３８は、図６,図７,図９に示す如く、上下方向に延在する板状の第１移動体５１と、該第１移動体５１の前側に配設された第１装飾体５２および第１光装飾体５３と、該第１移動体５１に配設された発光基板５４,５５とを基本的に備える。第１移動体５１の上端部(長手方向の他端部側)に、左右方向に離間して一対の第１ローラ５６,５６が回転自在に配設され、両第１ローラ５６,５６が前記第１長孔４５に前側から挿入されて、両第１ローラ５６,５６が第１長孔４５内を転動可能に構成される。なお、一対の第１ローラ５６,５６は、第１基体４４の裏側から該第１ローラ５６,５６を支持する第１支持材５７によって、第１長孔４５からの抜け止めがなされている。また、第１移動体５１と一体的に移動する前記第１支持材５７には、上方に突出する検出片５７ａが設けられ、該検出片５７ａが第１基体４４に配設された第１検出手段５８によって検出可能に構成されている。
【００３７】
図９に示す如く、前記第１移動体５１の下端部(長手方向の一端部側)には、左右方向に延在する板状の第１被ガイド部５９が設けられており、該第１被ガイド部５９が、前記第１基体４４の第１ガイド溝４６に摺動自在に係合するよう構成される。すなわち、第１可動体３８は、第１移動体５１の上端部に設けた第１ローラ５６,５６および下端部に設けた第１被ガイド部５９を、第１基体４４の対応する第１長孔４５および第１ガイド溝４６に係合した状態で、該第１長孔４５および第１ガイド溝４６に沿って斜めに直線的に往復移動するように第１基体４４に支持されている。また、第１移動体５１の上端部には、左右方向に延在するように第１ラック５１ａが形成されており、該第１ラック５１ａが前記第１従動歯車４９に噛合している。そして、前記第１駆動モータ５０を正転および逆転することで、第１可動体３８は、前記設置部材２３の開口部２３ａ(枠状装飾部材２４の開口部２４ａ)に臨む第１位置(図２０参照)および開口部２３ａ(開口部２４ａ)の中央側から第１位置より離れる第２位置(図５参照)の間を直線的に往復移動するよう構成される。実施例では、第１位置において第１移動体５１の前側に配設された前記第１装飾体５２および第１光装飾体５３の略全体が開口部２３ａの前側に位置すると共に、第２位置では第１移動体５１の全体が前記左板部２９ｃおよび上板部２９ａの前側に重なるように設定されている。すなわち、第１可動体３８が第２位置に位置する状態では、図３に示す如く、前記枠状装飾部材２４の開口部２４ａから露出することなく枠状装飾部材２４の裏側に第１可動体３８が隠れており、該第１可動体３８が第１位置に移動することで、図２０に示す如く、枠状装飾部材２４の開口部２４ａに第１可動体３８が露出するようになっている。なお、前記第１支持材５７に設けた検出片５７ａは、第２位置において第１検出手段５８で検出されて、該第１検出手段５８の検出信号に基づいて後述する可動体制御基板１２７が第１駆動モータ５０を停止制御することで、第１可動体３８を第２位置に停止保持し得るようになっている。また実施例では、第１駆動モータ５０としてステッピングモータが採用され、パルス信号の制御によって第１可動体３８を第１位置で停止し得るよう構成されている。また、第１駆動モータ５０の回転方向について、第１可動体３８を第２位置から第１位置へ移動させる方向を正転方向、第１可動体３８を第１位置から第２位置へ移動させる方向を逆転方向と指称する場合もある。
【００３８】
前記第１移動体５１の前側に配設される第１装飾体５２は、前面に所要の意匠が施されたものであって、左右方向の幅寸法は第１移動体５１の幅寸法より大きく設定されて、該第１装飾体５２で第１移動体５１を隠すよう構成してある。第１装飾体５２には、図９に示す如く、前後方向に貫通する開口５２ａが上下に離間する２箇所に開設され、両開口５２ａ,５２ａは、第１装飾体５２の裏側に配設された透光性を有する第１カバー体６０で塞がれている。また、第１カバー体６０の裏側に第１レンズ体６１が配設される。前記第１移動体５１には、第１装飾体５２の両開口５２ａ,５２ａと対応する位置に複数の通孔５１ｂが前後方向に貫通するように形成されて、該第１移動体５１の裏側に配設した第１発光基板５４の前面に実装したＬＥＤ等の発光体５４ａが、各通孔５１ｂから第１レンズ体６１および第１カバー体６０を介して開口５２ａ,５２ａに臨むよう構成される。
【００３９】
前記第１カバー体６０に、第１装飾体５２の下端から下方に突出する突出部６０ａが設けられ、該突出部６０ａに複数の通孔６０ｂが前後方向に貫通するように形成されている。この突出部６０ａの前側に、透光性を有する第１光装飾体５３が配設されると共に、該突出部６０ａの裏側には、各通孔６０ｂと対応する位置にＬＥＤ等の第１ライン用発光体５５ａを実装した第１ライン用発光基板５５が配設されている。前記突出部６０ａの通孔６０ｂおよび第１ライン用発光基板５５の第１ライン用発光体５５ａは、第１可動体３８の移動方向に沿うライン上に所定間隔離間して設けられており(図６参照)、全ての第１ライン用発光体５５ａを点灯することで、第１可動体３８の下端部において該第１可動体３８の移動方向に沿う第１発光ラインＬ１(図２０参照)を形成し得るよう構成される。そして、この第１発光ラインＬ１は、実施例では当該第１可動体３８と表示部１８ａを挟んで対をなす第３可動体４２および第４可動体４３に向かうように延びるラインとなる。第１ライン用発光体５５ａは後述するランプ制御基板１２６に電気的に接続されて、該ランプ制御基板１２６により発光制御されるようになっている。また実施例では、第１ライン用発光基板５５に実装した複数の第１ライン用発光体５５ａで発光手段を構成してある。
【００４０】
(第２可動体ユニット３７について)
前記第２可動体ユニット３７の基本的な構成は、前記第１可動体ユニット３６と上下対称である。すなわち、第２演出装置Ｍ２は、図５に示す如く、前記背面板２９の前面における下板部２９ｂの左隅部から左板部２９ｃにかけて配設されて、第２可動体３９の支持基体となる第２基体６２を備える。この第２基体６２は、下板部２９ｂの前面に重なる駆動系取付部６２ａと、該駆動系取付部６２ａから上方に延在して左板部２９ｃの前面に重なるガイド取付部６２ｂとを備え、両取付部６２ａ,６２ｂが対応する板部２９ａ,２９ｃにネジ止め固定されている。駆動系取付部６２ａに、前後方向に貫通する第２長孔６３が形成されると共に、ガイド取付部６２ｂの上端部に、前記第２長孔６３と平行に延在する第２ガイド溝６４が設けられており、第２基体６２に対して第２可動体３９が、第２長孔６３および第２ガイド溝６４で案内されて背面板２９の前面に沿って往復移動自在に支持されている。前記第２長孔６３および第２ガイド溝６４は、左側から右側に向かうにつれて上方傾斜するように形成される。すなわち、第２基体６２には、上下方向(第２基体６２の長手方向)に離間して第２長孔６３と第２ガイド溝６４とが、背面板２９における開口部２３ａから離間する位置から該開口部２３ａに近接するにつれて上方傾斜するように延在し、第２長孔６３および第２ガイド溝６４で案内される第２可動体３９は、斜めに平行移動するよう構成される。
【００４１】
前記駆動系取付部６２ａは、図５に示す如く、前記下板部２９ｂにおける左端(左側の画壁部３０の接続部)から前記背面板２９に開設した前記開口部２３ａを画成する下側の開口端縁である前記第２の辺２９ｆの下側に臨む位置まで延在している。すなわち、駆動系取付部６２ａに形成される第２長孔６３は、背面板２９における左下隅部から前記開口部２３ａの下側に臨む位置まで延在し、左板部２９ｃの前側の第２位置に臨む前記第２可動体３９が、後述する第２装飾体７０の略全体を開口部２３ａの前側に臨ませる位置(第１位置)に移動するまで該第２長孔６３で第２可動体３９を案内支持し得るようになっている。
【００４２】
前記第２ガイド溝６４は、図８,図１０に示す如く、ガイド取付部６２ｂの上端部に前後から取り付けられる前板６４ａおよび後板６４ｂによって、ガイド取付部６２ｂの前側において下方に開放するように形成される。また第２ガイド溝６４は、左板部２９ｃにおける左右方向の全幅に亘って、前記左側の第１の辺２９ｅと交差する方向に延在している。なお、前板６４ａおよび後板６４ｂの対向面には、第２ガイド溝６４に沿って延在する突条６４ｃ,６４ｃが対向して設けられ、第２可動体３９の後述する第２被ガイド部７７を両突条６４ｃ,６４ｃによって前後から支持し得るよう構成される。
【００４３】
前記第２基体６２の駆動系取付部６２ａに、第２モータ取付部材６５が前側から取り付けられると共に、該第２モータ取付部材６５と駆動系取付部６２ａとの間に画成される空間内に、駆動系取付部６２ａおよび第２モータ取付部材６５間に回転自在に支持された第２駆動歯車６６および該第２駆動歯車６６に噛合する複数(実施例では３個)の第２従動歯車６７が臨んでいる。第２モータ取付部材６５の前面に第２駆動モータ(駆動手段)６８が配設され、該第２駆動モータ６８が第２駆動歯車６６に接続されている。なお、第２モータ取付部材６５と駆動系取付部６２ａとの間の空間は、図８に示す如く上方に開放し、前記第２可動体３９の後述する第２ラック６９ａが該空間に臨んで、該第２ラック６９ａが第２駆動歯車６６から回転が伝達される最後の第２従動歯車６７に噛合可能に構成される。
【００４４】
前記第２基体６２の前側に移動自在に支持される前記第２可動体３９は、図６,図８,図１０に示す如く、上下方向に延在する板状の第２移動体６９と、該第２移動体６９の前側に配設された第２装飾体７０および第２光装飾体７１と、該第２移動体６９に配設された発光基板７２,７３とを基本的に備える。第２移動体６９の下端部(長手方向の他端部側)に、左右方向に離間して一対の第２ローラ７４,７４が回転自在に配設され、両第２ローラ７４,７４が前記第２長孔６３に前側から挿入されて、両第２ローラ７４,７４が第２長孔６３内を転動可能に構成される。なお、一対の第２ローラ７４,７４は、第２基体６２の裏側から該第２ローラ７４,７４を支持する第２支持材７５によって、第２長孔６３からの抜け止めがなされている。また、第２移動体６９と一体的に移動する前記第２支持材７５には、上方に突出する検出片７５ａが設けられ、該検出片７５ａが第２基体６２に配設された第２検出手段７６によって検出可能に構成されている。
【００４５】
図１０に示す如く、前記第２移動体６９の上端部(長手方向の一端部側)には、左右方向に延在する板状の第２被ガイド部７７が設けられており、該第２被ガイド部７７が、前記第２基体６２の第２ガイド溝６４に摺動自在に係合するよう構成される。すなわち、第２可動体３９は、第２移動体６９の下端部に設けた第２ローラ７４,７４および上端部に設けた第２被ガイド部７７を、第２基体６２の対応する第２長孔６３および第２ガイド溝６４に係合した状態で、該第２長孔６３および第２ガイド溝６４に沿って斜めに直線的に往復移動するように第２基体６２に支持されている。また、第２移動体６９の下端部には、左右方向に延在するように第２ラック６９ａが形成されており、該第２ラック６９ａが前記第２従動歯車６７に噛合している。そして、前記第２駆動モータ６８を正転および逆転することで、第２可動体３９は、前記設置部材２３の開口部２３ａ(枠状装飾部材２４の開口部２４ａ)に臨む第１位置(図２０参照)および開口部２３ａ(開口部２４ａ)の中央側から第１位置より離れる第２位置(図５参照)の間を直線的に往復移動するよう構成される。実施例では、第１位置において第２移動体６９の前側に配設された前記第２装飾体７０および第２光装飾体７１の略全体が開口部２３ａの前側に位置すると共に、第２位置では第２移動体６９の全体が前記左板部２９ｃおよび下板部２９ｂの前側に重なるように設定されている。すなわち、第２可動体３９が第２位置に位置する状態では、図３に示す如く、前記枠状装飾部材２４の開口部２４ａから露出することなく枠状装飾部材２４の裏側に第２可動体３９が隠れており、該第２可動体３９が第１位置に移動することで、図２０に示す如く、枠状装飾部材２４の開口部２４ａに第２可動体３９が露出するようになっている。なお、前記第２支持材７５に設けた検出片７５ａは、第２位置において第２検出手段７６で検出されて、該第２検出手段７６の検出信号に基づいて後述する可動体制御基板１２７が第２駆動モータ６８を停止制御することで、第２可動体６９を第２位置に停止保持し得るようになっている。また実施例では、第２駆動モータ６８としてステッピングモータが採用され、パルス信号の制御によって第２可動体３９を第１位置で停止し得るよう構成されている。また、第２駆動モータ６８の回転方向について、第２可動体３９を第２位置から第１位置へ移動させる方向を正転方向、第２可動体３９を第１位置から第２位置へ移動させる方向を逆転方向と指称する場合もある。
【００４６】
前記第２移動体６９の前側に配設される第２装飾体７０は、前面に所要の意匠が施されたものであって、左右方向の幅寸法は第２移動体６９の幅寸法より大きく設定されて、該第２装飾体７０で第２移動体６９を隠すよう構成してある。第２装飾体７０には、図１０に示す如く、前後方向に貫通する開口７０ａが開設され、該開口７０ａは、第２装飾体７０の裏側に配設された透光性を有する第２カバー体７８で塞がれている。また、第２カバー体７８の裏側に第２レンズ体７９が配設される。前記第２移動体６９には、第２装飾体７０の開口７０ａと対応する位置に複数の通孔６９ｂが前後方向に貫通するように形成されて、該第２移動体６９の裏側に配設した第２発光基板７２の前面に実装したＬＥＤ等の発光体７２ａが、各通孔６９ｂから第２レンズ体７９および第２カバー体７８を介して開口７０ａに臨むよう構成される。
【００４７】
前記第２カバー体７８に、第２装飾体７０の上端から上方に突出する突出部７８ａが設けられ、該突出部７８ａに複数の通孔７８ｂが前後方向に貫通するように形成されている。この突出部７８ａの前側に、透光性を有する第２光装飾体７１が配設されると共に、該突出部７８ａの裏側には、各通孔７８ｂと対応する位置にＬＥＤ等の第２ライン用発光体７３ａを実装した第２ライン用発光基板７３が配設されている。前記突出部７８ａの通孔７８ｂおよび第２ライン用発光基板７３の第２ライン用発光体７３ａは、第２可動体３９の移動方向に沿うライン上に所定間隔離間して設けられており(図６参照)、全ての第２ライン用発光体７３ａを点灯することで、第２可動体３９の上端部において該第２可動体３９の移動方向に沿う第２発光ラインＬ２(図２０参照)を形成し得るよう構成される。そして、この第２発光ラインＬ２は、実施例では当該第２可動体３９と表示部１８ａを挟んで対をなす第３可動体４２および第４可動体４３に向かうように延びるラインとなる。第２ライン用発光体７３ａは後述するランプ制御基板１２６に電気的に接続されて、該ランプ制御基板１２６により発光制御されるようになっている。また実施例では、第２ライン用発光基板７３に実装した複数の第２ライン用発光体７３ａで発光手段を構成してある。
【００４８】
前記第１可動体ユニット３６の第１長孔４５および第１ガイド溝４６と、第２可動体ユニット３７の第２長孔６３および第２ガイド溝６４とは平行に形成されており、実施例のパチンコ機１０では、設置部材２３における開口部２３ａの左側において上下の関係で配設された第１可動体３８および第２可動体３９は、同じ向きで斜めに平行移動するよう構成される。
【００４９】
また、前記第１可動体３８および第２可動体３９を何れも第１位置に位置した状態では、図２０,図２５に示す如く、第１可動体３８の下端に位置する第１光装飾体５３の下面と、第２可動体３９の上端に位置する第２光装飾体７１の上面とが近接状態で対向するよう構成される。そして、両可動体３８,３９を第１位置に位置させた状態で、前記第１ライン用発光基板５５および第２ライン用発光基板７３の各ライン用発光体５５ａ,７３ａを点灯することで、両可動体３８,３９の対向部分に、各ライン用発光体５５ａ,７３ａを単独で点灯した場合より上下幅が広い(太い)発光ライン(以後、合体発光ラインという場合もある)を斜めに延在するように形成し得るよう構成される。また、一方の可動体３８,３９を第２位置に位置させると共に、他方の可動体３８,３９を第１位置に位置させた状態(すなわち上下で対をなす２つの可動体３８,３９の内の片方のみを第１位置に位置させた状態)で、第１位置の可動体３８,３９のライン用発光体５５ａ,７３ａのみを点灯することで、第１位置に位置する可動体３８,３９の端部に、細い発光ライン(第１発光ラインＬ１または第２発光ラインＬ２)を斜めに延在するように形成し得るよう構成される。なお、第１可動体３８の下端部と第２可動体３９の上端部が対向した状態で、両ライン用発光体５５ａ,７３ａを点灯した場合は、上下に２本のラインが分かれて形成されるものではなく、両ライン用発光体５５ａ,７３ａによる一本の太い発光ラインが形成されるものであるが、実施例では便宜的に各ライン用発光体５５ａ,７３ａにより発光ラインＬ１,Ｌ２が形成されるものとして説明する。
【００５０】
(第３可動体ユニット４０について)
前記第３可動体ユニット４０は、前記背面板２９の前面における上板部２９ａの左隅部から右板部２９ｄにかけて配設されて、第３可動体４２の支持基体となる第３基体８０を備える。この第３基体８０は、上板部２９ａの前面に重なる駆動系取付部８０ａと、該駆動系取付部８０ａから下方に延在して右板部２９ｄの前面に重なるガイド取付部８０ｂとを備え、両取付部８０ａ,８０ｂが対応する板部２９ａ,２９ｄにネジ止め固定されている。駆動系取付部８０ａに、前後方向に貫通する第３長孔８１が形成されると共に、ガイド取付部８０ｂの下端部に、前記第３長孔８１と平行に延在する第３ガイド溝８２が設けられており、第３基体８０に対して第３可動体４２が、第３長孔８１および第３ガイド溝８２で案内されて背面板２９の前面に沿って往復移動自在に支持されている。前記第３長孔８１および第３ガイド溝８２は、右側から左側に向かうにつれて下方傾斜するように形成される。すなわち、第３基体８０には、上下方向(第３基体８０の長手方向)に離間して第３長孔８１と第３ガイド溝８２とが、背面板２９における開口部２３ａから離間する位置から該開口部２３ａに近接するにつれて下方傾斜するように延在し、第３長孔８１および第３ガイド溝８２で案内される第３可動体４２は、斜めに平行移動するよう構成される。
【００５１】
前記駆動系取付部８０ａは、図５に示す如く、前記上板部２９ａにおける右端(右側の画壁部３０の接続部)から前記背面板２９に開設した前記開口部２３ａを画成する上側の開口端縁である前記第２の辺２９ｆの上側に臨む位置まで延在している。すなわち、駆動系取付部４４ａに形成される第３長孔８１は、背面板２９における右上隅部から前記開口部２３ａの上側に臨む位置まで延在し、右板部２９ｄの前側の第２位置に臨む前記第３可動体４２が、後述する第３装飾体８８の略全体を開口部２３ａの前側に臨ませる位置(第１位置)に移動するまで該第３長孔８１で第３可動体４２を案内支持し得るようになっている。
【００５２】
前記第３ガイド溝８２は、図１２,図１４に示す如く、ガイド取付部８０ｂの下端部に前後から取り付けられる前板８２ａおよび後板８２ｂによって、ガイド取付部８０ｂの前側において上方に開放するように形成される。また第３ガイド溝８２は、右板部２９ｄにおける左右方向の全幅に亘って、前記右側の第１の辺２９ｅと交差する方向に延在している。なお、前板８２ａおよび後板８２ｂの対向面には、第３ガイド溝８２に沿って延在する突条８２ｃ,８２ｃが対向して設けられ、第３可動体４２の後述する第３被ガイド部９５を両突条８２ｃ,８２ｃによって前後から支持し得るよう構成される。
【００５３】
前記第３基体８０の駆動系取付部８０ａに、第３モータ取付部材８３が前側から取り付けられると共に、該第３モータ取付部材８３と駆動系取付部８０ａとの間に画成される空間内に、駆動系取付部８０ａおよび第３モータ取付部材８３間に回転自在に支持された第３駆動歯車８４および該第３駆動歯車８４に噛合する第３従動歯車８５が臨んでいる。第３モータ取付部材８３の前面に第３駆動モータ(駆動手段)８６が配設され、該第３駆動モータ８６が第３駆動歯車８４に接続されている。なお、第３モータ取付部材８３と駆動系取付部８０ａとの間の空間は、図１２に示す如く下方に開放し、前記第３可動体４２の後述する第３ラック８７ａが該空間に臨んで第３従動歯車８５に噛合可能に構成される。
【００５４】
前記第３基体８０の前側に移動自在に支持される前記第３可動体４２は、図１１,図１２,図１４に示す如く、上下方向に延在する板状の第３移動体８７と、該第３移動体８７の前側に配設された第３装飾体８８および第３光装飾体８９と、該第３移動体８７に配設された発光基板９０,９１とを基本的に備える。第３移動体８７の上端部(長手方向の他端部側)に、左右方向に離間して一対の第３ローラ９２,９２が回転自在に配設され、両第３ローラ９２,９２が前記第３長孔８１に前側から挿入されて、両第３ローラ９２,９２が第３長孔８１内を転動可能に構成される。なお、一対の第３ローラ９２,９２は、第３基体８０の裏側から該第３ローラ９２,９２を支持する第３支持材９３によって、第３長孔８１からの抜け止めがなされている。また、第３移動体８７と一体的に移動する前記第３支持材９３には、上方に突出する検出片９３ａが設けられ、該検出片９３ａが第３基体８０に配設された第３検出手段９４によって検出可能に構成されている。
【００５５】
図１４に示す如く、前記第３移動体８７の下端部(長手方向の一端部側)には、左右方向に延在する板状の第３被ガイド部９５が設けられており、該第３被ガイド部９５が、前記第３基体８０の第３ガイド溝８２に摺動自在に係合するよう構成される。すなわち、第３可動体４２は、第３移動体８７の上端部に設けた第３ローラ９２,９２および下端部に設けた第３被ガイド部９５を、第３基体８０の対応する第３長孔８１および第３ガイド溝８２に係合した状態で、該第３長孔８１および第３ガイド溝８２に沿って斜めに直線的に往復移動するように第３基体８０に支持されている。また、第３移動体８７の上端部には、左右方向に延在するように第３ラック８７ａが形成されており、該第３ラック８７ａが前記第３従動歯車８５に噛合している。そして、前記第３駆動モータ８６を正転および逆転することで、第３可動体４２は、前記設置部材２３の開口部２３ａ(枠状装飾部材２４の開口部２４ａ)に臨む第１位置(図２０参照)および開口部２３ａ(開口部２４ａ)の中央側から第１位置より離れる第２位置(図５参照)の間を直線的に往復移動するよう構成される。実施例では、第１位置において第３移動体４２の前側に配設された前記第３装飾体８８および第３光装飾体８９の略全体が開口部２３ａの前側に位置すると共に、第２位置では第３移動体８７の全体が前記右板部２９ｄおよび上板部２９ａの前側に重なるように設定されている。すなわち、第３可動体４２が第２位置に位置する状態では、図３に示す如く、前記枠状装飾部材２４の開口部２４ａから露出することなく枠状装飾部材２４の裏側に第３可動体４２が隠れており、該第３可動体４２が第１位置に移動することで、図２０に示す如く、枠状装飾部材２４の開口部２４ａに第３可動体４２が露出するようになっている。なお、前記第３支持材９３に設けた検出片９３ａは、第２位置において第３検出手段９４で検出されて、該第３検出手段９４の検出信号に基づいて後述する可動体制御基板１２７が第３駆動モータ８６を停止制御することで、第３可動体４２を第２位置に停止保持し得るようになっている。また実施例では、第３駆動モータ８６としてステッピングモータが採用され、パルス信号の制御によって第３可動体４２を第１位置で停止し得るよう構成されている。また、第３駆動モータ８６の回転方向について、第３可動体４２を第２位置から第１位置へ移動させる方向を正転方向、第３可動体４２を第１位置から第２位置へ移動させる方向を逆転方向と指称する場合もある。
【００５６】
前記第３移動体８７の前側に配設される第３装飾体８８は、前面に所要の意匠が施されたものであって、左右方向の幅寸法は第３移動体８７の幅寸法より大きく設定されて、該第３装飾体８８で第３移動体８７を隠すよう構成してある。第３装飾体８８には、図１４に示す如く、前後方向に貫通する開口８８ａが開設され、該開口８８ａは、第３装飾体８８の裏側に配設された透光性を有する第３カバー体９６で塞がれている。また、第３カバー体９６の裏側に第３レンズ体９７が配設される。前記第３移動体８７には、第３装飾体８８の開口８８ａと対応する位置に複数の通孔８７ｂが前後方向に貫通するように形成されて、該第３移動体８７の裏側に配設した第３発光基板９０の前面に実装したＬＥＤ等の発光体９０ａが、各通孔８７ｂから第３レンズ体９７および第３カバー体９６を介して開口８８ａに臨むよう構成される。
【００５７】
前記第３カバー体９６に、第３装飾体８８の下端から下方に突出する突出部９６ａが設けられ、該突出部９６ａに複数の通孔９６ｂが前後方向に貫通するように形成されている。この突出部９６ａの前側に、透光性を有する第３光装飾体８９が配設されると共に、該突出部９６ａの裏側には、各通孔９６ｂと対応する位置にＬＥＤ等の第３ライン用発光体９１ａを実装した第３ライン用発光基板９１が配設されている。前記突出部９６ａの通孔９６ｂおよび第３ライン用発光基板９１の第３ライン用発光体９１ａは、第３可動体４２の移動方向に沿うライン上に所定間隔離間して設けられており(図１１参照)、全ての第３ライン用発光体９１ａを点灯することで、第３可動体４２の下端部において該第３可動体４２の移動方向に沿う第３発光ラインＬ３(図２０参照)を形成し得るよう構成される。そして、この第３発光ラインＬ３は、実施例では当該第３可動体４２と表示部１８ａを挟んで対をなす第１可動体３８および第２可動体３９に向かうように延びるラインとなる。第３ライン用発光体９１ａは後述するランプ制御基板１２６に電気的に接続されて、該ランプ制御基板１２６により発光制御されるようになっている。また実施例では、第３ライン用発光基板９１に実装した複数の第３ライン用発光体９１ａで発光手段を構成してある。
【００５８】
(第４可動体ユニット４１について)
前記第２可動体ユニット４１の基本的な構成は、前記第３可動体ユニット４０と上下対称である。すなわち、第３演出装置Ｍ３は、図５に示す如く、前記背面板２９の前面における下板部２９ｂの右隅部から右板部２９ｄにかけて配設されて、第４可動体４３の支持基体となる第４基体９８を備える。この第４基体９８は、下板部２９ｂの前面に重なる駆動系取付部９８ａと、該駆動系取付部９８ａから上方に延在して右板部２９ｄの前面に重なるガイド取付部９８ｂとを備え、両取付部９８ａ,９８ｂが対応する板部２９ａ,２９ｄにネジ止め固定されている。駆動系取付部９８ａに、前後方向に貫通する第４長孔９９が形成されると共に、ガイド取付部９８ｂの上端部に、前記第４長孔９９と平行に延在する第４ガイド溝１００が設けられており、第４基体９８に対して第４可動体４３が、第４長孔９９および第４ガイド溝１００で案内されて背面板２９の前面に沿って往復移動自在に支持されている。前記第４長孔９９および第４ガイド溝１００は、右側から左側に向かうにつれて下方傾斜するように形成される。すなわち、第４基体９８には、上下方向(第４基体９８の長手方向)に離間して第４長孔９９と第４ガイド溝１００とが、背面板２９における開口部２３ａから離間する位置から該開口部２３ａに近接するにつれて下方傾斜するように延在し、第４長孔９９および第４ガイド溝１００で案内される第４可動体４３は、斜めに平行移動するよう構成される。
【００５９】
前記駆動系取付部９８ａは、図５に示す如く、前記下板部２９ｂにおける右端(右側の画壁部３０の接続部)から前記背面板２９に開設した前記開口部２３ａを画成する下側の開口端縁である前記第２の辺２９ｆの下側に臨む位置まで延在している。すなわち、駆動系取付部９８ａに形成される第４長孔９９は、背面板２９における右下隅部から前記開口部２３ａの下側に臨む位置まで延在し、右板部２９ｄの前側の第２位置に臨む前記第４可動体４３が、後述する第４装飾体１０６の略全体を開口部２３ａの前側に臨ませる位置(第１位置)に移動するまで該第４長孔９９で第４可動体４３を案内支持し得るようになっている。
【００６０】
前記第４ガイド溝１００は、図１３,図１５に示す如く、ガイド取付部９８ｂの上端部に前後から取り付けられる前板１００ａおよび後板１００ｂによって、ガイド取付部９８ｂの前側において下方に開放するように形成される。また第４ガイド溝１００は、右板部２９ｄにおける左右方向の全幅に亘って、前記右側の第１の辺２９ｅと交差する方向に延在している。なお、前板１００ａおよび後板１００ｂの対向面には、第４ガイド溝１００に沿って延在する突条１００ｃ,１００ｃが対向して設けられ、第４可動体４３の後述する第４被ガイド部１１３を両突条１００ｃ,１００ｃによって前後から支持し得るよう構成される。
【００６１】
前記第４基体９８の駆動系取付部９８ａに、第４モータ取付部材１０１が前側から取り付けられると共に、該第４モータ取付部材１０１と駆動系取付部９８ａとの間に画成される空間内に、駆動系取付部９８ａおよび第４モータ取付部材１０１間に回転自在に支持された第４駆動歯車１０２および該第４駆動歯車１０２に噛合する複数(実施例では２個)の第４従動歯車１０３が臨んでいる。第４モータ取付部材１０１の前面に第４駆動モータ(駆動手段)１０４が配設され、該第４駆動モータ１０４が第４駆動歯車１０２に接続されている。なお、第４モータ取付部材１０１と駆動系取付部９８ａとの間の空間は、図１３に示す如く上方に開放し、前記第４可動体４３の後述する第４ラック１０５ａが該空間に臨んで、該第４ラック１０５ａが第４駆動歯車１０２から回転が伝達される最後の第４従動歯車１０３に噛合可能に構成される。
【００６２】
前記第４基体９８の前側に移動自在に支持される前記第４可動体４３は、図１１,図１３,図１５に示す如く、上下方向に延在する板状の第４移動体１０５と、該第４移動体１０５の前側に配設された第４装飾体１０６および第４光装飾体１０７と、該第４移動体１０５に配設された発光基板１０８,１０９とを基本的に備える。第４移動体１０５の下端部(長手方向の他端部側)に、左右方向に離間して一対の第４ローラ１１０,１１０が回転自在に配設され、両第４ローラ１１０,１１０が前記第４長孔９９に前側から挿入されて、両第４ローラ１１０,１１０が第４長孔９９内を転動可能に構成される。なお、一対の第４ローラ１１０,１１０は、第４基体９８の裏側から該第４ローラ１１０,１１０を支持する第４支持材１１１によって、第４長孔９９からの抜け止めがなされている。また、第４移動体１０５と一体的に移動する前記第４支持材１１１には、下方に突出する検出片１１１ａが設けられ、該検出片１１１ａが第４基体９８に配設された第４検出手段１１２によって検出可能に構成されている。
【００６３】
図１５に示す如く、前記第４移動体１０５の上端部(長手方向の一端部側)には、左右方向に延在する板状の第４被ガイド部１１３が設けられており、該第４被ガイド部１１３が、前記第４基体９８の第４ガイド溝１００に摺動自在に係合するよう構成される。すなわち、第４可動体４３は、第４移動体１０５の下端部に設けた第４ローラ１１０,１１０および上端部に設けた第４被ガイド部１１３を、第４基体９８の対応する第４長孔９９および第４ガイド溝１００に係合した状態で、該第４長孔９９および第４ガイド溝１００に沿って斜めに直線的に往復移動するように第４基体９８に支持されている。また、第４移動体１０５の下端部には、左右方向に延在するように第４ラック１０５ａが形成されており、該第４ラック１０５ａが前記第４従動歯車１０３に噛合している。そして、前記第４駆動モータ１０４を正転および逆転することで、第４可動体４３は、前記設置部材２３の開口部２３ａ(枠状装飾部材２４の開口部２４ａ)に臨む第１位置(図２０参照)および開口部２３ａ(開口部２４ａ)の中央側から第１位置より離れる第２位置(図５参照)の間を直線的に往復移動するよう構成される。実施例では、第１位置において第４移動体１０５の前側に配設された前記第４装飾体１０６および第４光装飾体１０７の略全体が開口部２３ａの前側に位置すると共に、第２位置では第４移動体１０５の全体が前記右板部２９ｄおよび下板部２９ｂの前側に重なるように設定されている。すなわち、第４可動体４３が第２位置に位置する状態では、図３に示す如く、前記枠状装飾部材２４の開口部２４ａから露出することなく枠状装飾部材２４の裏側に第４可動体４３が隠れており、該第４可動体４３が第１位置に移動することで、図２０に示す如く、枠状装飾部材２４の開口部２４ａに第４可動体４３が露出するようになっている。なお、前記第４支持材１１１に設けた検出片１１１ａは、第２位置において第４検出手段１１２で検出されて、該第４検出手段１１２の検出信号に基づいて後述する可動体制御基板１２７が第４駆動モータ１０４を停止制御することで、第４可動体４３を第２位置に停止保持し得るようになっている。また実施例では、第４駆動モータ１０４としてステッピングモータが採用され、パルス信号の制御によって第４可動体４３を第１位置で停止し得るよう構成されている。また、第４駆動モータ１０４の回転方向について、第４可動体４３を第２位置から第１位置へ移動させる方向を正転方向、第４可動体４３を第１位置から第２位置へ移動させる方向を逆転方向と指称する場合もある。
【００６４】
前記第４移動体１０５の前側に配設される第４装飾体１０６は、前面に所要の意匠が施されたものであって、左右方向の幅寸法は第４移動体１０５の幅寸法より大きく設定されて、該第４装飾体１０６で第４移動体１０５を隠すよう構成してある。第４装飾体１０６には、図１５に示す如く、前後方向に貫通する開口１０６ａが上下に離間する２箇所に開設され、両開口１０６ａ,１０６ａは、第４装飾体１０６の裏側に配設された透光性を有する第４カバー体１１４で塞がれている。また、第４カバー体１１４の裏側に第４レンズ体１１５が配設される。前記第４移動体１０５には、第４装飾体１０６の開口１０６ａと対応する位置に複数の通孔１０５ｂが前後方向に貫通するように形成されて、該第４移動体１０５の裏側に配設した第４発光基板１０８の前面に実装したＬＥＤ等の発光体１０８ａが、各通孔１０５ｂから第４レンズ体１１５および第４カバー体１１４を介して開口１０６ａ,１０６ａに臨むよう構成される。
【００６５】
前記第４カバー体１１４に、第４装飾体１０６の上端から上方に突出する突出部１１４ａが設けられ、該突出部１１４ａに複数の通孔１１４ｂが前後方向に貫通するように形成されている。この突出部１１４ａの前側に、透光性を有する第４光装飾体１０７が配設されると共に、該突出部１１４ａの裏側には、各通孔１１４ｂと対応する位置にＬＥＤ等の第４ライン用発光体１０９ａを実装した第４ライン用発光基板１０９が配設されている。前記突出部１１４ａの通孔１１４ｂおよび第４ライン用発光基板１０９の第４ライン用発光体１０９ａは、第４可動体４３の移動方向に沿うライン上に所定間隔離間して設けられており(図１１参照)、全ての第４ライン用発光体１０９ａを点灯することで、第４可動体４３の上端部において該第４可動体４３の移動方向に沿う第４発光ラインＬ４(図２０参照)を形成し得るよう構成される。そして、この第４発光ラインＬ４は、実施例では当該第４可動体４３と表示部１８ａを挟んで対をなす第１可動体３８および第２可動体３９に向かうように延びるラインとなる。第４ライン用発光体１０９ａは後述するランプ制御基板１２６に電気的に接続されて、該ランプ制御基板１２６により発光制御されるようになっている。また実施例では、第４ライン用発光基板１０９に実装した複数の第４ライン用発光体１０９ａで発光手段を構成してある。
【００６６】
前記第３可動体ユニット４０の第３長孔８１および第３ガイド溝８２と、第４可動体ユニット４１の第４長孔９９および第４ガイド溝１００とは平行に形成されており、実施例のパチンコ機１０では、設置部材２３における開口部２３ａの右側において上下の関係で配設された第３可動体４２および第４可動体４３は、同じ向きで斜めに平行移動するよう構成される。
【００６７】
また、前記第３可動体４２および第４可動体４３を何れも第１位置に位置した状態では、図２０に示す如く、第３可動体４２の下端に位置する第３光装飾体８９の下面と、第４可動体４３の上端に位置する第４光装飾体１０７の上面とが近接状態で対向するよう構成される。そして、両可動体４２,４３を第１位置に位置させた状態で、前記第３ライン用発光基板９１および第４ライン用発光基板１０９の各ライン用発光体９１ａ,１０９ａを点灯することで、各ライン用発光体５５ａ,７３ａを単独で点灯した場合より上下幅が広い(太い)発光ライン(以後、合体発光ラインという場合もある)を斜めに延在するように形成し得るよう構成される。また、一方の可動体４２,４３を第２位置に位置させると共に、他方の可動体４２,４３を第１位置に位置させた状態(すなわち上下で対をなす２つの可動体４２,４３の内の片方のみを第１位置に位置させた状態)で、第１位置の可動体４２,４３のライン用発光体９１ａ,１０９ａのみを点灯することで、第１位置に位置する可動体４２,４３の端部に、細い発光ライン(第３発光ラインＬ３または第４発光ラインＬ４)を斜めに延在するように形成し得るよう構成される。なお、第３可動体４２の下端部と第４可動体４３の上端部が対向した状態で、両ライン用発光体９１ａ,１０９ａを点灯した場合は、上下に２本のラインが分かれて形成されるものではなく、両ライン用発光体９１ａ,１０９ａによる一本の太い発光ラインが形成されるものであるが、実施例では便宜的に各ライン用発光体９１ａ,１０９ａにより発光ラインＬ３,Ｌ４が形成されるものとして説明する。
【００６８】
(第１演出装置Ｍ１と第２演出装置Ｍ２との関係について)
前記第１演出装置Ｍ１における両可動体３８,３９の移動方向は、第２演出装置Ｍ２における両可動体４２,４３の移動方向と平行に設定されている。また、前記第１演出装置Ｍ１の両可動体３８,３９は、第２位置から第１位置に向けて斜め上向きに移動するのに対し、第２演出装置Ｍ２の両可動体４２,４３は、第２位置から第１位置に向けて斜め下向きに移動するよう構成される。すなわち、両演出装置Ｍ１,Ｍ２の可動体３８,３９,４２,４３が第２位置から第１位置に向けて移動する際には、前記枠状装飾部材２４の開口部２４ａの外側(枠状装飾部材２４および遊技盤２１の裏側に隠れた位置)から開口部２４ａの中央側(図柄表示装置１８の表示部１８ａの中央側)に寄るように斜め方向で相互に接近し、両演出装置Ｍ１,Ｍ２の可動体３８,３９,４２,４３が第１位置から第２位置に向けて移動する際には、開口部２４ａの中央側(図柄表示装置１８の表示部１８ａの中央側)から離れるように斜め方向で相互に離間する。
【００６９】
前記第１演出装置Ｍ１の両可動体３８,３９を第１位置に位置させると共に、第２演出装置Ｍ２の両可動体４２,４３を第１位置に位置させた状態では、図２０に示す如く、第１可動体３８と第２可動体３９との対向端部と、第３可動体４２と第４可動体４３との対向端部とが、前記図柄表示装置１８の表示部１８ａを挟む両側において該表示部１８ａを斜めに横切る線に略揃って位置するよう構成される。そして、第１可動体３８と第２可動体３９との対向端部において前記第１ライン用発光基板５５および第２ライン用発光基板７３の各ライン用発光体５５ａ,７３ａの発光により形成される第１および第２発光ラインＬ１,Ｌ３からなる太い合体発光ラインと、第３可動体４２と第４可動体４３との対向端部において前記第３ライン用発光基板９１および第４ライン用発光基板１０９のライン用発光体９１ａ,１０９ａの発光により形成される第３および第４発光ラインＬ３,Ｌ４からなる太い合体発光ラインとが、表示部１８ａを横切る方向に揃うようになっている(図２０では各発光ラインＬ１〜Ｌ２を一点鎖線で示している)。更に、実施例では、図２２に示す如く、第１可動体３８の第１ライン用発光基板５５の第１ライン用発光体５５ａの発光で形成される第１発光ラインＬ１と、第３可動体４２の第３ライン用発光基板９１の第３ライン用発光体９１ａの発光で形成される第３発光ラインＬ３とが、表示部１８ａを横切る方向に略揃うと共に、図２３に示す如く、第２可動体３９の第２ライン用発光基板７３の第２ライン用発光体７３ａの発光で形成される第２発光ラインＬ２と、第４可動体４３の第４ライン用発光基板１０９の第４ライン用発光体１０９ａの発光により形成される第４発光ラインＬ４とが、表示部１８ａを横切る方向に略揃うよう設定される。なお、発光ラインが表示部１８ａを横切る方向に揃うとは、一直線状に整列する場合に限らず、上下方向に若干ずれて平行あるいは略平行となる関係も含むものであり、交差あるいは離反する関係も含む。
【００７０】
なお、実施例では、前記第１発光ラインＬ１に対して第３発光ラインＬ３および第４発光ラインＬ４が上下にずれると共に、第２発光ラインＬ２に対して第４発光ラインＬ４が上下にずれるよう構成されるのに対し、第２発光ラインＬ２と第３発光ラインＬ３とは略一直線状に揃うように構成されている(図２１〜図２５参照)。そして、第１発光ラインＬ１と第２発光ラインＬ２で形成される太い合体発光ラインと、第３発光ラインＬ３と第４発光ラインＬ４で形成される太い合体発光ラインとを、図２０に示す如く、前記図柄表示装置１８の表示部１８ａで表示される発光画像(図では二点鎖線で示している)によって、Ｚ状に繋ぐことで、表示部１８ａを切り裂くような迫力のある斬撃ラインを形成し得るよう構成してある。同様に、第１発光ラインＬ１と第３発光ライン３(図２２参照)、第２発光ラインＬ２と第４発光ライン４(図２３参照)、第１発光ラインＬ１と第４発光ライン４(図２４参照)についても、表示部１８ａに表示したＺ状の発光画像に繋ぐことで迫力のある斬撃ラインを形成し得る。これに対し、第２発光ラインＬ２と第３発光ライン３については、図２５に示す如く、表示部１８ａに表示した一直線状の発光画像で繋ぐことで発行演出の形態を異ならせ得るようになっている。
【００７１】
前記第１演出装置Ｍ１では、上下で対をなす第１可動体３８および第２可動体３９を第１位置に位置させたもとで、片方の可動体３８,３９のライン用発光体５５ａ,７３ａを点灯したもとで、残る可動体３８,３９のライン用発光体５５ａ,７３ａを点灯したり消灯することで、２つの可動体３８,３９を第１位置に位置させたまま発光ラインの太さ(発光ラインの形態)を変えることができるようになっている。前記第２演出装置Ｍ２についても同様であって、片方の可動体４２,４３のライン用発光体９１ａ,１０９ａを点灯したもとで、残る可動体４２,４３のライン用発光体９１ａ,１０９ａを点灯したり消灯することで、２つの可動体４２,４３を第１位置に位置させたまま発光ラインの太さを変えることができる。
【００７２】
(照明装置１１６,１１７,１１８,１１９について)
前記遊技盤２１に配設された前記枠状装飾部材２４には、図３に示す如く、前記開口部２４ａを挟む左右両側(開口部２４ａの外側)に、前記可動体３８,３９,４２,４３に設けたライン用発光体５５ａ,７３ａ,９１ａ,１０９ａの発光により形成される発光ラインＬ１,Ｌ２,Ｌ３,Ｌ４の延長線上に、照明装置(第２の発光手段)１１６,１１７,１１８,１１９が夫々配設されている。すなわち、開口部２４ａの左側には、第１位置に位置した第１可動体３８のライン用発光体５５ａの発光により形成される第１発光ラインＬ１の延長線上に第１照明装置１１６が配置されると共に、第１位置に位置した第２可動体３９のライン用発光体７３ａの発光により形成される第２発光ラインＬ２の延長線上に第２照明装置１１７が配置される。また、開口部２４ａの右側には、第１位置に位置した第３可動体４２のライン用発光体９１ａの発光により形成される第３発光ラインＬ３の延長線上に第３照明装置１１８が配置されると共に、第１位置に位置した第４可動体４３のライン用発光体１０９ａの発光により形成される第４発光ラインＬ４の延長線上に第４照明装置１１９が配置される。
【００７３】
前記各照明装置１１６,１１７,１１８,１１９は、延長用発光基板１２０と、該延長用発光基板１２０に実装された複数のＬＥＤ等の延長用発光体１２１とで構成され、各照明装置１１６,１１７,１１８,１１９は、前記ランプ制御基板１２６によって個別に発光制御されるよう構成される。また、各延長用発光基板１２０に実装される複数の延長用用発光体１２１は、対応する発光ラインＬ１,Ｌ２,Ｌ３,Ｌ４の延長線上に沿って所定間隔離間して配置されており、各照明装置１１６,１１７,１１８,１１９の発光によって、前記可動体３８,３９,４２,４３のライン用発光体５５ａ,７３ａ,９１ａ,１０９ａの発光により形成される発光ラインＬ１,Ｌ２,Ｌ３,Ｌ４の長さを長くし得るよう構成されている。また、各延長用発光基板１２０に実装される複数の延長用発光体１２１は、ランプ制御基板１２６によって並び方向の一方から他方の順で点灯したり消灯可能に構成される。なお、枠状装飾部材２４における各照明装置１１６,１１７,１１８,１１９の前側には、光透過性の装飾部品１２２,１２２が配設してある。
【００７４】
(パチンコ機１０の主要な制御構成について)
前記パチンコ機１０の主要な制御構成について説明する。実施例のパチンコ機１０には、パチンコ機１０を全体的に制御するメイン制御基板１２３と、該メイン制御基板１２３からの制御信号に基づいて各制御対象を制御するサブ制御基板１２４,１２５,１２６,１２７とが設けられている。すなわち、メイン制御基板１２３では、パチンコ機１０に備えられた各種検出センサ(検出手段)２５ｂ,２６ｂ,３５ａからの検出信号に基づいて各種処理が実行され、その処理結果に応じた各種の制御信号(制御コマンド)がサブ制御基板１２４,１２５,１２６,１２７に出力されるようになっている。
【００７５】
実施例のパチンコ機１０には、前記サブ制御基板として、遊技演出を全体的に制御する統括制御基板１２４と、図柄表示装置１８での表示内容を制御する表示制御基板１２５と、パチンコ機１０が備える発光体５５ａ,７３ａ,９１ａ,１０９ａ,１２１の発光制御を行なうランプ制御基板１２６と、パチンコ機１０が備える演出装置Ｍ１,Ｍ２の可動体制御を行なう可動体制御基板１２７とを備えている(図１６参照)。すなわち、メイン制御基板１２３が出力した制御信号(制御コマンド)に基づいて、前記統括制御基板１２４が表示制御基板１２５、ランプ制御基板１２６および可動体制御基板１２７を制御するよう構成されており、パチンコ機１０で実行される各種遊技演出(図柄変動演出、発光演出、可動体演出)を統括的にコントロールし得るようになっている。ここで、表示制御基板１２５は、統括制御基板１２４から出力された制御信号(制御コマンド)に基づいて、図柄表示装置１８に表示される図柄や背景画像等の図柄変動演出の表示内容を制御するよう構成される。また、ランプ制御基板１２６は、統括制御基板１２４から出力された制御信号(制御コマンド)に基づいて、パチンコ機１０が備える発光体５５ａ,７３ａ,９１ａ,１０９ａ,１２１の点灯・消灯のタイミング等を制御し、可動体制御基板１２７は、統括制御基板１２４から出力された制御信号(制御コマンド)に基づき、パチンコ機１０が備える演出装置Ｍ１,Ｍ２の可動体３８,３９,４２,４３の動作態様等を制御するよう構成される。
【００７６】
(メイン制御基板１２３について)
前記メイン制御基板１２３は、制御動作を所定の手順で実行することができるメイン制御ＣＰＵ(メイン制御手段,制御手段)１２３ａ、メイン制御ＣＰＵ１２３ａの制御プログラムを格納するメイン制御ＲＯＭ１２３ｂおよび必要なデータの書き込みおよび読み出しができるメイン制御ＲＡＭ１２３ｃを備えている。
【００７７】
前記メイン制御基板１２３は、大当り判定用乱数、図柄決定用乱数、変動パターン振分用乱数、普図当り判定用乱数等の各種乱数の値を所定の周期毎に更新し、更新後の値をメイン制御ＲＡＭ１２３ｃの設定領域に記憶(設定)することで更新前の値を書き換えており、乱数更新処理(乱数生成処理)を実行するようになっている。例えば、メイン制御基板１２３では、前記始動入賞検出センサ２５ｂ,２６ｂから検出信号が入力されると、メイン制御ＣＰＵ１２３ａがメイン制御ＲＯＭ１２３ｂから大当り判定用乱数を取得し、この大当り判定用乱数とメイン制御ＲＯＭ１２３ｂに記憶されている大当り判定値とを比較し、大当りとするか否かの大当り判定(当り抽選)を行なう。またメイン制御基板１２３では、前記大当り判定の結果が肯定の場合には、大当りの結果を導出するリーチ演出等の大当り導出演出のみが含まれる変動パターンテーブルから大当り導出演出用の変動パターンを決定する。これに対して、前記大当り判定の結果が否定の場合には、はずれ演出のみが含まれる変動パターンテーブルからはずれ演出用の変動パターンを決定する。大当り導出演出用およびはずれ演出用の変動パターンの決定は、前記大当り判定と同様に、メイン制御ＣＰＵ１２３ａがメイン制御ＲＯＭ１２３ｂから取得した乱数により行なう。なお、変動パターンテーブルから決定される大当り導出演出およびはずれ演出の変動パターンは、少なくとも大当り判定の時間(図柄変動時間)および演出内容を特定するものである。そして、パチンコ機１０では、メイン制御基板１２３の大当り判定の結果に応じて出力された統括制御基板１２４の制御信号に基づいて、表示制御基板１２５が図柄表示装置１８に所定の演出表示を行なわせると共に、メイン制御基板１２３の制御により出力された球払出しに係る制御信号に基づいて、図示しない球払出し装置によって所定数の賞球が払い出される。また、パチンコ機１０では、統括制御基板１２４の制御信号に基づいて、演出装置Ｍ１,Ｍ２の可動体３８,３９,４２,４３を作動させたり、各発光体５５ａ,７３ａ,９１ａ,１０９ａ,１２１を発光させるよう構成される。
【００７８】
また、メイン制御基板１２３では、前記通過球検出センサ３５ａから検出信号が入力されると、メイン制御ＣＰＵ１２３ａがメイン制御ＲＯＭ１２３ｂから普図当り判定用乱数を取得し、この普図当り判定用乱数とメイン制御ＲＯＭ１２３ｂに記憶されている普図当り判定値とを比較し、普図当りとするか否かの普図当り判定(普図当り抽選)を行なう。そして、普図当り判定が肯定の場合は、前記開閉部材３１を所定の開閉パターンで開閉するように前記始動入賞ソレノイド３２を制御する。なお、開閉部材３１の開閉パターンについては、普図当り判定を行なう時点での遊技状態、すなわち変短状態(後述)が付与されているか否かによって異なるようになっている。
【００７９】
ここで、大当り判定が肯定で実行される大当り遊技は、前記特別入賞装置２７を所定の開放条件で開放することで遊技者に多くの賞球を獲得し得る機会が与えられるものであって、この大当り遊技は遊技者にとって特典となるものである。すなわち、実施例では、始動入賞手段への入賞を契機として遊技者に特典を付与するか否かを判定する特典判定手段としての機能をメイン制御ＣＰＵ１２３ａが備える。
【００８０】
(統括制御基板１２４について)
前記統括制御基板１２４には、統括制御ＣＰＵ(サブ制御手段,制御手段)１２４ａが備えられている。該統括制御ＣＰＵ１２４ａには、統括制御ＲＯＭ１２４ｂおよび統括制御ＲＡＭ１２４ｃが接続されている。また、統括制御ＣＰＵ１２４ａは、実行可否判定用乱数や動作演出パターン判定用乱数等の各種乱数の値を所定の周期毎に更新し、更新後の値を統括制御ＲＡＭ１２４ｃの設定領域に記憶(設定)して更新前の値を書き換えている。更に、統括制御ＲＯＭ１２４ｂには、表示制御基板１２５、ランプ制御基板１２６および可動体制御基板１２７を統括的に制御するための統括制御プログラムが記憶されている。統括制御ＣＰＵ１２４ａは、各種制御コマンドを入力すると、当該統括制御プログラムに基づき各種制御を実行する。例えば、統括制御基板１２４では、前記メイン制御ＣＰＵ１２３ａから変動パターン指定コマンドが入力されると、統括制御ＣＰＵ１２４ａが統括制御ＲＯＭ１２４ｂから実行可否判定用乱数を取得し、この実行可否判定用乱数と統括制御ＲＯＭ１２４ｂに記憶されている実行可否判定値とを比較し、可動体演出を実行するか否かの実行可否判定を行なう。また、統括制御基板１２４では、前記実行可否判定の結果が肯定の場合には、後述するように演出装置Ｍ１,Ｍ２で実行する１つの動作演出パターンを決定し、該動作演出パターンに対応する表示演出パターンの表示演出コマンドを表示制御基板１２５に出力すると共に、該動作演出パターンに対応する発光演出パターンの発光演出コマンドをランプ制御基板１２６に出力する。
【００８１】
(表示制御基板１２５について)
前記表示制御基板１２５には、表示制御ＣＰＵ(表示制御手段)１２５ａが備えられている。該表示制御ＣＰＵ１２５ａには、表示制御ＲＯＭ１２５ｂおよび表示制御ＲＡＭ１２５ｃが接続されている。また、表示制御基板１２５(表示制御ＣＰＵ１２５ａ)には、図柄表示装置１８が接続されている。表示制御ＲＯＭ１２５ｂには、図柄表示装置１８の表示内容を制御するための表示制御プログラムが記憶されている。また、表示制御ＲＯＭ１２５ｂには、各種の画像データ(図柄、各種背景画像、文字、キャラクタなどの画像データ)が記憶されている。更に、表示制御ＲＡＭ１２５ｃには、パチンコ機１０の動作中に適宜書き換えられる各種の情報が記憶(設定)されるようになっている。
【００８２】
(ランプ制御基板１２６および可動体制御基板１２７について)
前記ランプ制御基板(ランプ制御手段)１２６には、前記各発光体５５ａ,７３ａ,９１ａ,１０９ａ,１２１が接続されている。また、可動体制御基板(可動体制御手段)１２７には、前記第１〜第４駆動モータ５０,６８,８６,１０４が接続されている。
【００８３】
(特典遊技状態について)
実施例のパチンコ機１０は、大当り遊技終了後に遊技者に有利な遊技状態(特典)として第１特典遊技状態を付与する機能を備えている。ここで、第１特典遊技状態としては、前記特別入賞口へのパチンコ球の入賞契機が、当該第１特典遊技状態が付与されていない状態に較べて増加する状態である。具体的には、第１特典遊技状態では、大当り確率を低確率から高確率に変動することにより特別入賞口へのパチンコ球の入賞契機を増加することができる。以下の説明では、第１特典遊技状態を、便宜的に「確変状態」というものとする。
【００８４】
本実施例の確変機能は、前記図柄表示装置１８に確定停止表示された大当り図柄の種類が予め定めた確変図柄であることを条件として、大当り遊技の終了後に大当りの抽選確率(大当り確率)を低確率から高確率に変動させる確変状態を付与する機能である。なお、確変状態が付与されていない状態を非確変状態というものとする。実施例では、大当り遊技終了後に確変状態が付与される大当りが確変大当りであり、確変状態が付与されない大当りが非確変大当りとなる。また、実施例では、確変状態が付与される大当りの場合には、大当り遊技終了後、次回の大当りが生起されるまでの間継続して確変状態が付与される。このように、確変状態が付与されると、大当りの抽選確率が高確率に変動して大当りが生起され易くなるため、確変状態は遊技者にとって有利であり、遊技者は確変大当りになることを期待しつつ遊技を行っている。なお、確変状態が付与される期間としては、上記のものに限られない。例えば、確変状態が付与されてから所定条件を満たすまでの間継続して確変状態を付与し、当該所定条件を満たすことを条件に非確変状態に移行させるようにすることもできる。ここで、所定条件としては、確変状態が付与されてからの図柄変動演出の変動回数とすることもできる。また、図柄変動演出毎に非確変状態に移行させるかを、始動入賞口２５ａ,２６ａへのパチンコ球の入賞を契機に取得する乱数に基づいて判定(転落抽選)し、転落抽選に当選することを条件に非確変状態に移行させるようにすることもできる。
【００８５】
また、実施例のパチンコ機１０は、大当り遊技終了後に遊技者に有利な遊技状態として第２特典遊技状態(特典)を付与する機能を備えている。ここで、第２特典遊技状態としては、前記第２始動入賞口２６ａへのパチンコ球の入賞契機が、当該第２特典遊技状態が付与されていない状態に較べて増加する状態である。具体的には、第２特典遊技状態では、(1)前記球通過ゲート３５をパチンコ球が通過したこと(より具体的には通過球検出センサ３５ａがパチンコ球を検出したこと)により実行される普図変動表示の変動時間の短縮、(2)普図当り確率を低確率から高確率に変動、(3)普図当り１回についての第２始動入賞口２６ａを開放する開閉部材３１の開放時間を増やすこと、により第２始動入賞口２６ａへのパチンコ球の入賞契機を増加することができる。なお、第２特典遊技状態では、上記(1)〜(3)を単独または複数を組み合わせることができる。なお、普図当り１回についての第２始動入賞口２６ａを開放する開閉部材３１の開放時間を増やすに際しては、開閉部材３１の開放時間を単純に延長することで実現してもよく、また開閉部材３１の開放回数を増やすことで実現することもでき、またこれらを複合させてもよい。なお、実施例では、第２特典遊技状態として上記(1)〜(3)を組み合わせており、以下の説明では、これら(1)〜(3)を組み合わせた状態を便宜的に「変短状態」というものとする。
【００８６】
ここで、実施例では、大当りに当選した際に決定される大当り図柄の種類に応じて、変短状態が付与される期間(変短回数)が変化するよう構成されている。具体的には、大当り図柄の種類が予め定めた確変図柄である場合には、次回の大当りが生起されるまでの間、変短状態が付与されるよう設定され、大当り図柄の種類が予め定めた非確変図柄である場合には、所定回数の図柄変動演出が実行されるまでの間、変短状態が付与されるよう設定されている。本実施例では、前記変短状態が、入賞率向上状態となる。
【００８７】
前記確変状態および変短状態は、前記始動入賞口２５ａ,２６ａへの入賞を契機としてメイン制御ＣＰＵ１２３ａで実行される大当り判定において肯定された際に抽選される大当り図柄の種類によって決まるものである。すなわち、前記メイン制御ＣＰＵ１２３ａは、大当りが発生する確率(大当り判定の判定結果が肯定となる確率)が通常よりも高確率となる確変状態を付与する手段として機能すると共に、該確変状態を付与するか否かを判定する確変判定手段として機能する。また、メイン制御ＣＰＵ１３２ａは、大当りが発生する場合(大当り判定の判定結果が肯定の場合)に、第２始動入賞口２６ａへパチンコ球が入賞する確率が高確率となる変短状態(入賞率向上状態)を付与する手段として機能すると共に、該変短状態を付与するか否かを判定する変短状態判定手段(入賞率向上状態判定手段)として機能する。なお、確変状態および変短状態は、何れも大当り遊技と同様に、始動入賞手段への入賞を契機として遊技者に付与される可能性のある特典である。
【００８８】
(可動体演出について)
本実施例のパチンコ機１０は、前記演出装置Ｍ１,Ｍ２によって、図柄変動演出の終了後に大当り遊技(当り遊技)が付与される可能性のあることを示唆する可動体演出を実行可能に構成されている。すなわち、前記始動入賞口２５ａ,２６ａへの入賞を契機としてメイン制御ＣＰＵ１２３ａで決定された変動パターンを指定する変動パターン指定コマンドが前記統括制御ＣＰＵ１２４ａに入力された場合に、該統括制御ＣＰＵ１２４ａが演出装置Ｍ１,Ｍ２による可動体演出を実行するか否かを決定する可動体演出の実行可否判定を行ない、該実行可否判定において可動体演出を実行することが決定された場合に、複数種類の動作演出パターン１−１〜５−４の中から１つの動作演出パターンを決定し、決定された動作演出パターンを当該の図柄変動演出中に実行するよう構成される。すなわち本実施例では、図柄変動演出の終了後に大当り遊技(当り遊技)が付与されることを示唆する可動体演出を実行するか否かを決定する可動体演出実行可否決定手段、該可動体演出実行可否決定手段が可動体演出を実行することを決定した場合に、複数種類の動作演出パターン１−１〜５−４の中から１つの動作演出パターン１−１〜５−４を決定可能な演出パターン決定手段および決定した動作演出パターン１−１〜５−４に基づく演出を演出装置Ｍ１,Ｍ２で実行させる可動体演出実行制御手段としての機能を統括制御ＣＰＵ１２４ａが備えている。
【００８９】
(動作演出パターンについて)
前記統括制御ＲＯＭ１２４ｂには、前記演出装置Ｍ１,Ｍ２で実行可能な複数の動作演出パターン(演出パターン)が設定されている。この動作演出パターンは、図１７に示す如く、大きく分けて５つのパターンに分類される。第１動作演出パターン(第１の演出パターン)１−１は、両演出装置Ｍ１,Ｍ２が備える２つの可動体３８,３９,４２,４３の夫々を第２位置から第１位置に移動するパターンであって(図２０参照)、この第１動作演出パターン１−１では、第１位置に移動した可動体３８,３９,４２,４３の前記ライン用発光体５５ａ,７３ａ,９１ａ,１０９ａを発光することによって太くて長い発光ラインが形成可能となる。この第３動作演出パターン１−１は、全ての可動体３８,３９,４２,４３を第１位置に移動するものであって、形態は１種類である。
【００９０】
第２動作演出パターン２−１〜２−４は、第１演出装置Ｍ１および第２演出装置Ｍ２の何れか一方が備える２つの可動体３８,３９,４２,４３を第１位置に移動したもとで、他方が備える２つの可動体３８,３９,４２,４３の片方のみを第１位置に移動するパターンであって、この第２動作演出パターン２−１〜２−４では、第１位置に移動した可動体３８,３９,４２,４３の前記ライン用発光体５５ａ,７３ａ,９１ａ,１０９ａを発光することによって太さが変化する長い発光ラインが形成可能となる。この第２動作演出パターンの具体的な形態は４種類ある。第１形態２−１は、第４可動体４３のみを第２位置に保持したまま、第１可動体３８、第２可動体３９および第３可動体４２が第１位置に移動する形態である(図２１参照)。第２形態２−２は、第３可動体４２のみを第２位置に保持したまま、第１可動体３８、第２可動体３９および第４可動体４３が第１位置に移動する形態である。第３形態２−３は、第２可動体３９のみを第２位置に保持したまま、第１可動体３８、第３可動体４２および第４可動体４３が第１位置に移動する形態である。第４形態２−４は、第１可動体３８のみを第２位置に保持したまま、第２可動体３９、第３可動体４２および第４可動体４３が第１位置に移動する形態である。
【００９１】
第３動作演出パターン(第２の演出パターン)３−１〜３−４は、第１演出装置Ｍ１および第２演出装置Ｍ２が備える２つの可動体３８,３９,４２,４３の夫々１つを第２位置から第１位置に移動するパターンであって、この第１動作演出パターン１−１〜１−４では、第１位置に移動した可動体３８,３９,４２,４３の前記ライン用発光体５５ａ,７３ａ,９１ａ,１０９ａを発光することによって細くて長い発光ラインが形成可能となる。この第３動作演出パターンの具体的な形態は４種類ある。第１形態３−１は、第２可動体３９および第４可動体４３を第２位置に保持したまま、第１可動体３８および第３可動体４２が第１位置に移動する形態である(図２２)。第２形態３−２は、第１可動体３８および第３可動体４２を第２位置に保持したまま、第２可動体３９および第４可動体４３が第１位置に移動する形態である(図２３)。第３形態３−３は、第２可動体３９および第３可動体４２を第２位置に保持したまま、第１可動体３８および第４可動体４３が第１位置に移動する形態である(図２４)。第４形態３−４は、第１可動体３８および第４可動体４３を第２位置に保持したまま、第２可動体３９および第３可動体４２が第１位置に移動する形態である(図２５)。
【００９２】
第４動作演出パターン(第３の演出パターン,第１の演出パターン)４−１〜４−２は、第１演出装置Ｍ１または第２演出装置Ｍ２の何れか一方が備える２つの可動体３８,３９,４２,４３を第２位置に保持したもとで、他方が備える２つの可動体３８,３９,４２,４３を第１位置に移動するパターンであって、この第４動作演出パターン４−１〜４−２では、第１位置に移動した可動体３８,３９,４２,４３の前記ライン用発光体５５ａ,７３ａ,９１ａ,１０９ａを発光することによって太くて短い発光ラインが形成可能となる。この第４動作演出パターンの具体的な形態は２種類ある。第１形態４−１は、第３可動体４２および第４可動体４３を第２位置に保持したまま、第１可動体３８および第２可動体３９が第１位置に移動する形態である(図２６参照)。第２形態４−２は、第１可動体３８および第２可動体３９を第２位置に保持したまま、第３可動体４２および第４可動体４３が第１位置に移動する形態である。
【００９３】
第５動作演出パターン(第２の演出パターン)５−１〜５−４は、第１演出装置Ｍ１および第２演出装置Ｍ２の何れか一方が備える２つの可動体３８,３９,４２,４３を第２位置に保持したもとで、他方が備える２つの可動体３８,３９,４２,４３の片方のみを第１位置に移動するパターンであって、この第５動作演出パターン５−１〜５−４では、第１位置に移動した可動体３８,３９,４２,４３の前記ライン用発光体５５ａ,７３ａ,９１ａ,１０９ａを発光することによって細くて短い発光ラインが形成可能となる。この第５動作演出パターンの具体的な形態は４種類ある。第１形態５−１は、第２可動体３９、第３可動体４２および第４可動体４３を第２位置に保持したまま、第１可動体３８のみが第１位置に移動する形態である(図２７参照)。第２形態５−２は、第１可動体３８、第３可動体４２および第４可動体４３を第２位置に保持したまま、第２可動体３９のみが第１位置に移動する形態である。第３形態５−３は、第１可動体３８、第２可動体３９および第４可動体４３を第２位置に保持したまま、第３可動体４２のみが第１位置に移動する形態である。第４形態５−４は、第１可動体３８、第２可動体３９および第３可動体４２を第２位置に保持したまま、第４可動体４３のみが第１位置に移動する形態である。
【００９４】
前記パチンコ機１０では、前記演出装置Ｍ１,Ｍ２で実行される動作演出パターン１−１〜５−４によって、図柄変動演出の終了後に大当り遊技(当り遊技)が付与される信頼度が異なるように、動作演出パターン１−１〜５−４の出現率が設定される。実施例では、第５動作演出パターン５−１〜５−４、第４動作演出パターン４−１〜４−２、第３動作演出パターン３−１〜３−４、第２動作演出パターン１−２〜２−４、第１動作演出パターン１−１の順で、大当り遊技が付与される信頼度が高くなるよう設定される。すなわち、実施例では、図１８に示す如く、第１動作演出パターン１−１の信頼度が「最大」、第２動作演出パターン２−１〜２−４の信頼度が「高」、第３動作演出パターン３−１〜３−４の信頼度が「中」、第４動作演出パターン４−１〜４−２の信頼度が「低」、第５動作演出パターン５−１〜５−４の信頼度が「最低」に設定されている。なお、大当り遊技が付与される信頼度とは、大当り遊技(当り遊技)が付与される場合の出現率と大当り遊技が付与されない(はずれになる)場合の出現率を合算した全体出現率に対し、大当り遊技が付与される場合の出現率の割合を示すものである。すなわち、大当り遊技が付与される信頼度は、全体出現率に対して大当り遊技が付与される場合の出現率の割合が高いほど高くなる。そして、大当り遊技が付与される信頼度を設定するための出現率は、各動作演出パターンに対して振分けられている動作演出パターン抽選用判定値の振分け態様(振分け個数)によって規定することができる。
【００９５】
ここで、前記統括制御ＣＰＵ１２４ａでは、動作演出パターンの抽選に用いられる動作演出パターン判定用乱数として、実施例では「０」〜「１００」の全１０１通りの整数値が設定されており、所定の周期(４ｍｓ)で１ずつ更新されるようになっている。また、統括制御ＲＯＭ１２４ｂには、動作演出パターンの抽選に用いられる動作演出パターン抽選用判定値が記憶されており、動作演出パターン抽選用判定値は、動作演出パターン判定用乱数の取り得る「０」〜「１００」までの全１０１通りの整数の中から所定数の判定値が夫々の動作演出パターンに定められている。また、動作演出パターン抽選用判定値の振分けは、大当り判定の結果が肯定の場合(大当り)と否定の場合(はずれ)とで異なるように設定される。図１８は、大当り判定の結果が肯定の場合(大当り)の動作演出パターン振分け抽選テーブルＴ１と、大当り判定の結果が否定の場合(はずれ)の動作演出パターン振分け抽選テーブルＴ２と示すものであって、各振分け抽選テーブルＴ１,Ｔ２の夫々において、１０１通りの動作演出パターン抽選用判定値が各動作演出パターンに振分けられることで、各動作演出パターンの大当り遊技が付与される信頼度が前述したように規定されるようになっている。
【００９６】
すなわち、動作演出パターン振分け抽選テーブルＴ１では、第１動作演出パターンに「０」〜「５４」の５５通りの動作演出パターン抽選用判定値が振分けられ、第２動作演出パターンに「５５」〜「７０」の１６通りの動作演出パターン抽選用判定値が振分けられ、第３動作演出パターンに「７１」〜「８２」の１２通りの動作演出パターン抽選用判定値が振分けられ、第４動作演出パターンに「８３」〜「９２」の１０通りの動作演出パターン抽選用判定値が振分けられ、第５動作演出パターンに「９３」〜「１００」の８通りの動作演出パターン抽選用判定値が振分けられている。
【００９７】
これに対し、動作演出パターン振分け抽選テーブルＴ２では、第１動作演出パターンに「０」〜「３」の４通りの動作演出パターン抽選用判定値が振分けられ、第２動作演出パターンに「５」〜「１２」の８通りの動作演出パターン抽選用判定値が振分けられ、第３動作演出パターンに「１３」〜「２４」の１２通りの動作演出パターン抽選用判定値が振分けられ、第４動作演出パターンに「２５」〜「４８」の２４通りの動作演出パターン抽選用判定値が振分けられ、第５動作演出パターンに「４９」〜「１００」の５２通りの動作演出パターン抽選用判定値が振分けられている。
【００９８】
このように、大当り判定の結果が肯定の場合での動作演出パターン抽選用判定値の振分けについて、第１動作演出パターン１−１、第２動作演出パターン２−１〜２−４、第３動作演出パターン３−１〜３−４、第４動作演出パターン４−１〜４−２、第５動作演出パターン５−１〜５−４の順で動作演出パターン抽選用判定値の振分け個数を少なくすると共に、大当り判定の結果が否定の場合での動作演出パターン抽選用判定値の振分けについて、第１動作演出パターン１−１、第２動作演出パターン２−１〜２−４、第３動作演出パターン３−１〜３−４、第４動作演出パターン４−１〜４−２、第５動作演出パターン５−１〜５−４の順で動作演出パターン抽選用判定値の振分け個数を多くすることで、各動作演出パターンが演出装置Ｍ１,Ｍ２で実行された場合の大当り遊技が付与される信頼度を、第５動作演出パターン５−１〜５−４、第４動作演出パターン４−１〜４−２、第３動作演出パターン３−１〜３−４、第２動作演出パターン２−１〜２−４、第１動作演出パターン１−１の順で高くなるようにしている。具体的に、例えば、大当り判定の結果が肯定の場合(大当り)に、第１動作演出パターン１−１は最も選択され易く、大当り判定の結果が否定の場合(はずれ)に、第１動作演出パターン１−１は最も選択され難く構成されているので、第１動作演出パターン１−１が演出装置Ｍ１,Ｍ２で実行された場合は大当り遊技が付与される信頼度が高くなる。一方、大当り判定の結果が肯定の場合(大当り)に、第５動作演出パターン５−１〜５−４は最も選択され難く、大当り判定の結果が否定の場合(はずれ)に、第５動作演出パターン５−１〜５−４は最も選択され易く構成されているので、第５動作演出パターン５−１〜５−４が演出装置Ｍ１,Ｍ２で実行された場合は大当り遊技が付与される信頼度が低くなる。
【００９９】
前記各動作演出パターンに振分けられる動作演出パターン抽選用判定値は、各動作演出パターンが備える各形態毎に更に振分けられている。すなわち、１つの形態１−１のみを備える第１動作演出パターンについては、第１形態１−１に５４通りの動作演出パターン抽選用判定値が振分けられている。これに対し、４つの形態２−１〜２−４を備える第２動作演出パターンについては、各形態２−１〜２−４に４通りずつの動作演出パターン抽選用判定値が夫々振分けられている。同様に、４つの形態３−１〜３−４を備える第３動作演出パターンについては、各形態３−１〜３−４に３通りずつの動作演出パターン抽選用判定値が夫々振分けられ、２つの形態４−１〜４−２を備える第４動作演出パターンについては、各形態４−１〜４−２に５通りずつの動作演出パターン抽選用判定値が夫々振分けられ、４つの形態５−１〜５−４を備える第５動作演出パターンについては、各形態５−１〜５−４に２通りずつの動作演出パターン抽選用判定値が夫々振分けられている。すなわち、実施例では、複数の形態を備える各動作演出パターンにおいて、同一動作演出パターン内における各形態が選択される割合は同じに設定してある。
【０１００】
ここで、動作演出パターンの大当り遊技が付与される信頼度の高低について、更に詳細に説明すると、前記図柄表示装置１８の表示部１８ａの左右両側に可動体３８,３９,４２,４３が現われて発光ラインを形成する第１〜３動作演出パターンと、表示部１８ａの左右何れか片側にのみ可動体３８,３９,４２,４３が現われて発光ラインを形成する第４〜５動作演出パターンとを比較すると、表示部１８ａの左右両側で発光ラインを形成し得る第１〜３動作演出パターンの方が、表示部１８ａの左右何れか片側でのみ発光ラインを形成し得る第４〜５動作演出パターンより大当り遊技が付与される信頼度が高くなるよう設定されている。また、表示部１８ａの左右両側で発光ラインを形成し得る第１〜３動作演出パターンについては、太い発光ラインを形成し得る動作演出パターンの方が、細い発光ラインしか形成し得ない動作演出パターンより大当り遊技が付与される信頼度が高くなるよう設定されている。更に、表示部１８ａの左右何れか片側でのみ発光ラインを形成し得る第４動作演出パターンと第５動作演出パターンとを比較すると、太い発光ラインを形成し得る第４動作演出パターンの方が、細い発光ラインしか形成し得ない第５動作演出パターンより大当り遊技が付与される信頼度が高くなるよう設定されている。
【０１０１】
(表示演出パターンについて)
実施例のパチンコ機１０では、前記統括制御ＲＯＭ１２４ｂに、前記演出装置Ｍ１,Ｍ２で実行可能な複数の前記動作演出パターン１−１〜５−４に対応して、前記図柄表示装置１８で行なわれる表示演出の表示内容を特定する表示演出パターンＡ−１−Ｅ−４(図１９参照)が記憶されている。そして、統括制御ＣＰＵ１２４ａは、前記動作演出パターンの抽選で１つの動作演出パターンを決定すると、該動作演出パターンに対応する表示演出パターン指定コマンドを前記表示制御ＣＰＵ１２５ａに出力し、該表示制御ＣＰＵ１２５ａは、表示演出パターン指定コマンドを入力すると、その表示演出パターンに対応する表示データに基づく演出内容の画像を図柄表示装置１８の表示部１８ａに表示するよう制御する。
【０１０２】
前記表示演出パターンで特定される表示内容は、実施例では図柄表示装置１８における表示部１８ａの左右両側で可動体３８,３９,４２,４３が第１位置に移動する動作演出パターンに対応する表示演出パターンは、該第１位置に位置する各可動体３８,３９,４２,４３のライン用発光体５５ａ,７３ａ,９１ａ,１０９ａの発光により形成される第１〜第４発光ラインＬ１,Ｌ２,Ｌ３,Ｌ４を繋ぐ第１発光画像を表示するものである。すなわち、表示部１８ａの左右両側で第１位置に位置する可動体３８,３９,４２,４３のライン用発光体５５ａ,７３ａ,９１ａ,１０９ａの発光により形成される第１〜第４発光ラインＬ１,Ｌ２,Ｌ３,Ｌ４を第１発光画像で繋ぐことで、あたかも表示部１８ａが左右方向の全長に亘って切り裂かれる演出を行ない得るようになっている。これに対し、図柄表示装置１８における表示部１８ａの左右何れか片側でのみ可動体３８,３９,４２,４３が第１位置に移動する動作演出パターンに対応する表示演出パターンは、該第１位置に位置する各可動体３８,３９,４２,４３のライン用発光体５５ａ,７３ａ,９１ａ,１０９ａの発光により形成される第１〜第４発光ラインＬ１,Ｌ２,Ｌ３,Ｌ４を表示部１８ａの中央部まで延ばす第２発光画像を表示するものである。すなわち、表示部１８ａの片側で第１位置に位置する可動体３８,３９,４２,４３のライン用発光体５５ａ,７３ａ,９１ａ,１０９ａの発光により形成される第１〜第４発光ラインＬ１,Ｌ２,Ｌ３,Ｌ４を第２発光画像で延ばすことで、あたかも表示部１８ａの一部を切り裂く演出を行ない得るようになっている。
【０１０３】
また、第１発光画像および第２発光画像は、表示部１８ａの左右の第１位置に位置する可動体の数や位置に応じた太さや位置で表示されるようになっている。例えば、上下で対をなす第１可動体３８と第２可動体３９または第３可動体４２と第４可動体４３が第１位置に位置する状態では、上下の可動体３８,３９,４２,４３のライン用発光体５５ａ,７３ａ,９１ａ,１０９ａにより太い発光ラインが形成されるので、該太い発光ラインと同等の太さの発光画像を表示する。また、上下で対をなす第１可動体３８と第２可動体３９または第３可動体４２と第４可動体４３の片方のみが第１位置に位置する状態では、片方の可動体３８,３９,４２,４３のライン用発光体５５ａ,７３ａ,９１ａ,１０９ａにより細い発光ラインが形成されるので、該細い発光ラインと同等の細さの発光画像を表示するよう設定される。
【０１０４】
〔実施例の作用〕
次に、前述した実施例に係るパチンコ機の作用につき説明する。
【０１０５】
前記前枠１３の前面側に設けられた前記操作ハンドル１７の操作レバー１７ａを遊技者が回転操作すると、前記打球発射装置１６から発射されたパチンコ球が前記遊技盤２１の遊技領域２１ａ内に打ち出される。この遊技領域２１ａに打ち出されたパチンコ球は、前記枠状装飾部材２４の外周囲を流下し、該パチンコ球が前記第１始動入賞装置２５(第１始動入賞口２５ａ)に入賞すると、前記第１始動入賞検出センサ２５ｂからの検出信号がメイン制御ＣＰＵ１２３ａに入力され、該メイン制御ＣＰＵ１２３ａは、大当り判定用乱数の値をメイン制御ＲＯＭ１２３ｂから読み出し、メイン制御ＲＡＭ１２３ｃの所定の記憶領域に記憶する。そして、メイン制御ＣＰＵ１２３ａは、図柄変動ゲームの開始前に、メイン制御ＲＡＭ１２３ｃに記憶されている前記大当り判定用乱数の値とメイン制御ＲＯＭ１２３ｂに記憶されている大当り判定値とを比較して大当りか否かの大当り判定(当り判定)を行なう。
【０１０６】
前記メイン制御ＣＰＵ１２３ａは、大当り判定の判定結果が肯定(大当り判定用乱数の値と大当り判定値とが一致)の場合、大当りを決定する。大当りを決定したメイン制御ＣＰＵ１２３ａは、図柄決定用乱数をメイン制御ＲＡＭ１２３ｃから読み出し、該値に予め対応付けられた図柄を大当り図柄として決定し、決定した図柄の種類を示す情報をメイン制御ＲＡＭ１２３ｃに記憶する。そして、メイン制御ＣＰＵ１２３ａは、図柄の種類に応じた大当り導出演出用の変動パターンを決定し、決定した大当り導出演出用の変動パターンに対応する制御コマンドを所定のタイミングで統括制御基板１２４(統括制御ＣＰＵ１２４ａ)に出力する。また、メイン制御ＣＰＵ１２３ａは、大当り判定の判定結果が否定(大当り判定用乱数の値と大当り判定値とが不一致)の場合、はずれを決定すると共に、選択されたはずれ演出用の変動パターンを決定し、決定したはずれ演出用の変動パターンに対応する制御コマンドを所定のタイミングで統括制御基板１２４(統括制御ＣＰＵ１２４ａ)に出力する。
【０１０７】
前記統括制御ＣＰＵ１２４ａは、大当り導出演出用の変動パターンまたははずれ演出用の変動パターンに対応する変動パターン指定コマンドを入力すると、前記演出装置Ｍ１,Ｍ２による可動体演出を実行するか否かを決定する可動体演出の実行可否判定を行なう。すなわち、統括制御ＣＰＵ１２４ａは、変動パターン指定コマンドが入力されたときに実行可否判定用乱数を取得すると共に、この取得した実行可否判定用乱数の値を、可動体演出の実行可否判定に用いられる抽選テーブルに設定されている実行可否判定値と比較して、可動体演出を実行するか否かを決定する。
【０１０８】
前記統括制御ＣＰＵ１２４ａは、前記実行可否判定において可動体演出を実行することが決定された場合に、複数種類の動作演出パターン１−１〜５−４の中から１つの動作演出パターンを決定し、決定された動作演出パターンを当該の図柄変動演出中に実行する。具体的には、メイン制御ＣＰＵ１２３ａでの大当り判定が肯定(大当り)で、実行可否判定が肯定の場合には、統括制御ＣＰＵ１２４ａは、大当り導出演出用の変動パターンに対応する変動パターン指定コマンドが入力されたときに動作演出パターン判定用乱数を取得すると共に、この取得した動作演出パターン判定用乱数の値を、動作演出パターン振分け抽選テーブルＴ１(図１８)に設定されている動作演出パターン抽選用判定値と比較して、何れかの動作演出パターン１−１〜５−４を決定する。また、メイン制御ＣＰＵ１２３ａでの大当り判定が否定(はずれ)で、実行可否判定が肯定の場合には、統括制御ＣＰＵ１２４ａは、はずれ演出用の変動パターンに対応する変動パターン指定コマンドが入力されたときに動作演出パターン判定用乱数を取得すると共に、この取得した動作演出パターン判定用乱数の値を、動作演出パターン振分け抽選テーブルＴ２(図１８)に設定されている動作演出パターン抽選用判定値と比較して、何れかの動作演出パターン１−１〜５−４を決定する。
【０１０９】
前記統括制御ＣＰＵ１２４ａは、動作演出パターンを決定すると、決定した動作演出パターンに対応する演出指定コマンドを可動体制御基板３２に出力し、該可動体制御基板３２によって前記演出装置Ｍ１,Ｍ２の駆動モータ５０,６８,８６,１０４が制御されて、決定された動作演出パターンで可動体３８,３９,４２,４３が移動される。また、統括制御ＣＰＵ１２４ａは、決定した動作演出パターンに対応する表示演出パターンの表示演出コマンドを表示制御基板１２５に出力すると共に、該動作演出パターンに対応する発光演出パターンの発光演出コマンドをランプ制御基板１２６に出力する。そして、表示制御ＣＰＵ１２５ａは、入力された発光演出コマンドに対応する表示データに基づく画像を表示部１８ａに表示するよう図柄表示装置１８を制御する。また、ランプ制御基板１２６は、入力された発光演出パターンの発光演出コマンドに基づいて対応するライン用発光体５５ａ,７３ａ,９１ａ,１０９ａを発光制御する。
【０１１０】
例えば、動作演出パターンとして第１動作演出パターン１−１が決定された場合は、可動体制御基板３２は、４つの駆動モータ５０,６８,８６,１０４を正転方向に駆動するよう制御し、図２０に示す如く、４つの可動体３８,３９,４２,４３が第１位置に移動する。また、ランプ制御基板１２６は、第１位置に移動した可動体３８,３９,４２,４３に配設されているライン用発光体５５ａ,７３ａ,９１ａ,１０９ａを点灯し、これにより図柄表示装置１８における表示部１８ａの左右両側に位置する各可動体３８,３９,４２,４３のライン用発光体５５ａ,７３ａ,９１ａ,１０９ａにより発光ラインＬ１,Ｌ２,Ｌ３,Ｌ４が形成される。更に、表示制御ＣＰＵ１２５ａは、表示部１８ａの左右両側の発光ラインＬ１,Ｌ２,Ｌ３,Ｌ４を繋ぐような第１発光画像を表示部１８ａに表示する。これにより、表示部１８ａを横方向に切り裂くような発光演出が表示され、演出の興趣を向上し得る。
【０１１１】
また、動作演出パターンとして第２動作演出パターンにおける第１形態２−１が決定された場合は、図２１に示す如く、第１可動体３８、第２可動体３９および第３可動体４２が第１位置に移動すると共に、第１位置に移動した可動体３８,３９,４２のライン用発光体５５ａ,７３ａ,９１ａが点灯し、更に表示部１８ａの左右両側の発光ラインＬ１,Ｌ２,Ｌ３を繋ぐような第１発光画像が表示部１８ａに表示される。これにより、表示部１８ａを横方向に切り裂くような発光演出が表示され、演出の興趣を向上し得る。なお、第２動作演出パターンは、表示部１８ａの左右何れか一方側では２つの可動体３８,３９,４２,４３が第１位置で、他方側では１つの可動体３８,３９,４２,４３が第１位置に位置する形態であるので、表示部１８ａで表示される第１発光画像は、２つの可動体３８,３９,４２,４３側のライン用発光体５５ａ,７３ａ,９１ａ,１０９ａで形成される発光ラインから１つの可動体３８,３９,４２,４３側のライン用発光体５５ａ,７３ａ,９１ａ,１０９ａで形成される発光ラインに向かうにつれて第１発光画像により表示される光のラインの太さが変化し、前記第２動作演出パターンの表示とは異なる。
【０１１２】
更に、動作演出パターンとして第３動作演出パターンの第１形態３−１が決定された場合は、図２２に示す如く、第１可動体３８と第３可動体４２が第１位置に移動すると共に、第１位置に移動した可動体３８,４２のライン用発光体５５ａ,９１ａが点灯し、更に表示部１８ａの左右両側の発光ラインＬ１,Ｌ３を繋ぐような第１発光画像が表示部１８ａに表示される。これにより、表示部１８ａを横方向に切り裂くような発光演出が表示され、演出の興趣を向上し得る。なお、第３動作演出パターンの各形態３−１〜３−４は、図２２〜図２５に示す如く、表示部１８ａの左右両側の夫々において、上下で対をなす２つの可動体３８,３９,４２,４３の片方のみが第１位置に移動するので、表示部１８ａで表示される第１発光画像は、左右で対をなす２つの可動体３８,３９,４２,４３のライン用発光体５５ａ,７３ａ,９１ａ,１０９ａで形成される細い発光ラインを繋ぐ画像となり、前記第１動作演出パターンおよび第２動作演出パターンの表示とは異なる。
【０１１３】
また、動作演出パターンとして第４動作演出パターンの第１形態４−１が決定された場合は、図２６に示す如く、第１可動体３８および第２可動体３９のみが第１位置に移動すると共に、第１位置に移動した可動体３８,３９のライン用発光体５５ａ,７３ａが点灯し、更に表示部１８ａには左側に形成された発光ラインＬ１,Ｌ２から表示部中央に延びるような第２発光画像が表示部１８ａに表示される。これにより、表示部１８ａが左方から中央部にかけて切り裂かれるような発光演出が表示され、演出の興趣を向上し得る。なお、第４動作演出パターンの第２形態４−２の場合は、表示部１８ａの右側に２つの可動体４２,４３が現われ(第１位置に移動)、該可動体４２,４３のライン用発光体９１ａ,１０９ａで形成される発光ラインＬ３,Ｌ４と表示部１８ａの第２発光画像とにより該表示部１８ａが右方から中央部にかけて切り裂かれるような発光演出が表示される。
【０１１４】
更にまた、動作演出パターンとして第５動作演出パターンの第１形態５−１が決定された場合は、図２７に示す如く、第１可動体３８のみが第１位置に移動すると共に、第１位置に移動した第１可動体３８のライン用発光体５５ａが点灯し、更に表示部１８ａには左側に形成された第１発光ラインＬ１から表示部中央に延びるような第２発光画像が表示部１８ａに表示される。これにより、表示部１８ａが左方から中央部に向かけて切り裂かれるような発光演出が表示され、演出の興趣を向上し得る。第５動作演出パターンの第１形態５−１と前記第４動作演出パターンの第１形態４−１とでは、表示部１８ａの左右片側に現われる可動体３８,３９,４２,４３の数が異なることで、対応するライン用発光体５５ａ,７３ａ,９１ａ,１０９ａにより形成される発光ラインの太さが異なる発光演出となる。
【０１１５】
実施例のパチンコ機１０では、前記図柄表示装置１８での図柄変動演出中において前記演出装置Ｍ１,Ｍ２で実施される前記動作演出パターンの形態１−１〜５−４によって、当該図柄変動演出後に大当り遊技が付与される信頼度が異なるよう構成したので、可動体３８,３９,４２,４３の動作に対して遊技者の関心を惹き付けることができる。また、可動体３８,３９,４２,４３の動作は、統括制御ＲＯＭ１２４ｂに記憶されている複数の動作演出パターンの中から１つを抽選で決定するものであるので、統括制御ＣＰＵ１２４ａの制御負荷を軽減し得る。
【０１１６】
実施例のパチンコ機１０では、前記図柄表示装置１８における表示部１８ａの前側に出没する４つの可動体３８,３９,４２,４３の夫々に発光ラインＬ１,Ｌ２,Ｌ３,Ｌ４を形成可能なライン用発光体５５ａ,７３ａ,９１ａ,１０９ａを設けたので、表示部１８ａの左右両側に現われた可動体３８,３９,４２,４３のライン用発光体５５ａ,７３ａ,９１ａ,１０９ａを点灯して発光ラインＬ１,Ｌ２,Ｌ３,Ｌ４を形成することで、該表示部１８ａを切り裂く演出を行なうことができる。しかも、可動体３８,３９,４２,４３は、枠状装飾部材２４の裏側に隠れた第２位置と、開口部２４ａから前側に露出する第１位置(図２０等参照)との間を進退移動可能に構成されているので、発光ラインＬ１,Ｌ２,Ｌ３,Ｌ４の長さや位置を変えることができ、発光演出のバリエーションを増やして興趣を向上し得る。
【０１１７】
また、前記図柄表示装置１８における表示部１８ａの左側に配置される第１演出装置Ｍ１は、上下で対をなす第１可動体３８と第２可動体３９とを備え、両可動体３８,３９の対向端部にライン用発光体５５ａ,７３ａを並んで配設してあるので、両方の可動体３８,３９を第１位置に移動してライン用発光体５５ａ,７３ａを点灯した場合(図２０,図２１,図２６参照)と、片方の可動体３８,３９のみを第１位置に移動してライン用発光体５５ａ,７３ａを点灯した場合(図２２〜図２５参照)とで発光ラインの太さを変更することができ、発光演出のバリエーションを増やすことができる。なお、前記表示部１８ａの右側に配置される第２演出装置Ｍ２においても同様の構成を備えているので、表示部１８ａの左右両側において夫々発光ラインの太さを変更することが可能であると共に、表示部１８ａの左右に形成される発光ラインの太さを異ならせることが可能であるので、発光演出のバリエーションをより増やすことができる。
【０１１８】
前記第１演出装置Ｍ１は、上下で対をなす可動体３８,３９を夫々独立して対応する駆動モータ５０,６８により移動するよう構成してあるので、図２０に示す如く、第１可動体３８と第２可動体３９とを第１位置に位置させた状態から、第１可動体３８および第２可動体３９の何れか片方の可動体３８,３９を第２位置に移動することで、第１可動体３８のライン用発光体５５ａで形成される第１発光ラインＬ１と第２可動体３９のライン用発光体７３ａで形成される第２発光ラインＬ２とが左右方向にずれるように移動し、発光ラインＬ１,Ｌ２が上下方向に重なってラインが太くなっている領域の長さが変化することで、面白みのある発光演出ができる。また、前記第２演出装置Ｍ２も第１演出装置Ｍ１と同様に上下の可動体４２,４３を夫々独立して移動し得るよう構成してあるので、表示部１８ａの左右両側において上下で対をなす可動体３８,３９,４２,４３の片方を第２位置に移動することで、表示部１８ａを挟む両側において発光ラインの太さが変化し、表示部１８ａを切り裂く演出を強調することができる。更に、上下で対をなす可動体３８,３９,４２,４３を、枠状装飾部材２４の開口部２４ａから露出した状態で所定範囲で相互に移動することで、斬新な発光演出を行ない得る。
【０１１９】
また、前記４つの可動体３８,３９,４２,４３の各ライン用発光体５５ａ,７３ａ,９１ａ,１０９ａは、前記ランプ制御基板１２６(統括制御ＣＰＵ１２４ａ)によって個別の発光制御可能に構成されているので、例えば、図２０,図２１,図２６に示す如く、上下で対をなす第１可動体３８および第２可動体３９を第１位置に位置させたもとで、片方の可動体３８,３９のライン用発光体５５ａ,７３ａを点灯した状態で、残る可動体３８,３９のライン用発光体５５ａ,７３ａを点灯したり消灯することで、２つの可動体３８,３９を第１位置に位置させたまま発光ラインの太さを変えることができる。すなわち、可動体３８,３９を移動することなく発光ラインを太くしたり細くしたりとラインの形態を可変し得るので、発光演出のバリエーションを増やし得る。なお、上下で対をなす第３可動体４２および第４可動体４３においても、同様に第１位置に位置させたもとで、片方の可動体４２,４３のライン用発光体９１ａ,１０９ａを点灯した状態で、残る可動体４２,４３のライン用発光体９１ａ,１０９ａを点灯したり消灯することで、２つの可動体４２,４３を第１位置に位置させたまま発光ラインの形態を変えることができる。
【０１２０】
ここで、各可動体３８,３９,４２,４３に配設したライン用発光体５５ａ,７３ａ,９１ａ,１０９ａは、可動体３８,３９,４２,４３の移動方向に沿って複数が並ぶように配置されて、各ライン用発光体５５ａ,７３ａ,９１ａ,１０９ａを夫々個別に発光制御し得るよう構成してある。従って、例えば第１可動体３８のライン用発光体５５ａを例に挙げて説明すると、第１発光ラインＬ１に沿って並ぶ複数の第１ライン用発光体５５ａを、並び順で順次点灯したり順次消灯することで、更に発光演出のバリエーションを増やして面白みのある発光演出を行なうことができる。また、左右で対をなす、例えば第１可動体３８と第３可動体４２が第１位置に移動した状態で、複数の第１ライン用発光体５５ａおよび複数の第３ライン用発光体９１ａを、左側または右側から順に順次点灯したり順次消灯することで、より面白みのある発光演出を行なうことができ、興趣を向上し得る。更に、実施例の各可動体３８,３９,４２,４３は斜めに移動するよう構成してあるので、該可動体３８,３９,４２,４３が第２位置から第１位置に移動した際に、前記開口部２４ａに露出する部分においてライン用発光体５５ａ,７３ａ,９１ａ,１０９ａで形成する発光ラインＬ１,Ｌ２,Ｌ３,Ｌ４の長さを長くすることができ、小型の可動体３８,３９,４２,４３であっても興趣のある発光演出が可能となる。
【０１２１】
前記枠状装飾部材２４には、各可動体３８,３９,４２,４３の各ライン用発光体５５ａ,７３ａ,９１ａ,１０９ａの発光により形成し得る発光ラインＬ１,Ｌ２,Ｌ３,Ｌ４の延長線上に照明装置１１６,１１７,１１８,１１９を設けているので、第１位置に位置する可動体３８,３９,４２,４３に対応する照明装置１１６,１１７,１１８,１１９の延長用発光体１２１を点灯することで、発光ラインを長く延ばすことができ、発光演出の興趣を更に向上し得る。また、各照明装置１１６,１１７,１１８,１１９の延長用発光体１２１を、対応する可動体３８,３９,４２,４３のライン用発光体５５ａ,７３ａ,９１ａ,１０９ａで形成される発光ラインＬ１,Ｌ２,Ｌ３,Ｌ４の延長線上に離間して複数配置したので、複数の延長用発光体１２１およびライン用発光体５５ａ,７３ａ,９１ａ,１０９ａを含めて発光ラインＬ１,Ｌ２,Ｌ３,Ｌ４に沿って並ぶ全ての発光体を順次点灯したり順次消灯することで、斬新な発光演出を行なうことができる。
【０１２２】
(変更例)
(１) 実施例では、図柄表示装置における表示部を挟む左右両側に可動体を配設したが、表示部を挟む上下両側に可動体を夫々配設し、上下で対をなす可動体に配設した発光体の発光により形成される発光ラインで表示部を上下方向に切り裂く発光演出を行なう構成を採用し得る。
(２) 実施例では、図柄表示装置における表示部を挟む左右両側に、夫々２つの可動体を配設したが、少なくとも左右何れか一方の側に２つの可動体を配設したものであってもよい。すなわち、左右何れか一方の側に２つの可動体を配設すると共に、他方の側に１つの可動体を配設する構成を採用し得る。
(３) 実施例では、図柄表示装置における表示部を挟む左右両側に、夫々２つの可動体を配設したが、左右両側に１つの可動体を配設する構成を採用し得る。また、表示部の左右両側に１つずつの可動体を配設する構成においては、実施例に示す第１可動体と第３可動体との組合わせ、第１可動体と第４可動体との組合わせ、第２可動体と第３可動体との組合わせ、第２可動体と第４可動体との組合わせを採用し得る。なお、実施例では第１可動体の第１ライン用発光体で形成される第１発光ラインに対し、第３可動体の第３ライン用発光体で形成される第３発光ラインおよび第４可動体の第４ライン用発光体で形成される第４発光ラインが上下にずれると共に、第２可動体の第２ライン用発光体で形成される第２発光ラインに対して第４可動体の第４ライン用発光体で形成される第４発光ラインとが上下にずれるよう構成したが、第１可動体と第３可動体または第４可動体の組合わせや第２可動体と第４可動体との組合わせを採用する場合は、対をなす可動体が第１位置に位置した際に両可動体のライン用発光体で形成される発光ラインが表示部を横切る方向に一直線状に揃うように両可動体の位置を設定する構成を採用し得る。また、表示部の左側または右側において１つの可動体を配設する構成において、該１つの可動体の長さは、実施例のように表示部の上下方向(可動体を上側または下側に配設する場合は左右方向)の中間に端部が位置するものでなくてもよい。すなわち、表示部の上下方向(左右方向)の全長に亘って１つの可動体が延在するものであってもよく、この場合は可動体の長手方向の中間にライン用発光体を配設すればよい。
(４) 実施例では、動作演出パターンとして、１つまたは複数の可動体が第２位置から第１位置に移動するパターンを挙げたが、動作演出パターンはこれに限られるものではない。例えば、４つの可動体を第１位置に位置させると共に各可動体のライン用発光体を点灯した状態で、第１可動体と第４可動体のみを第２位置に移動する動作演出パターンを設定することができ、この動作演出パターンでは表示部を挟む左右両側に形成される発光ラインの太さが変化して、表示部を切り裂く演出を強調することができる。この場合に、第１位置から第２位置に移動する可動体については、第２可動体と第３可動体、第１可動体と第３可動体または第２可動体と第４可動体の各組み合わせを採用し得る。また、表示部を挟んで対をなす一対の可動体、例えば実施例の第１可動体と第４可動体を表示部中央の第１位置まで移動することで、該第１可動体と第４可動体が上下方向に整列するよう構成し、両可動体のライン用発光体を点灯した状態で、第１可動体および第４可動体を相互に離間する方向に移動することで、表示部を切り裂く演出を行なう動作演出パターンを設定してもよい。なお、表示部の中央まで移動した状態から相互に離間移動する可動体の組み合わせは、第２可動体と第３可動体であってもよい。
更には、例えば第１可動体および第４可動体を第１位置まで移動した際に、第１可動体の右端縁と第４可動体の左端縁とが上下方向に略揃うように構成することで、この状態で第１可動体の下端部に形成される第１発光ラインと第４可動体の上端部に形成される第４発光ラインとが左右方向で並ぶようにし、この状態から両可動体を相互に離間移動することで表示を切り裂く演出を行なう動作演出パターンを設定することが可能である。なお、第１位置において端縁が上下方向に揃うようにする可動体の組み合わせは、第２可動体と第３可動体であってもよい。
(５) 実施例では、可動体を斜めに往復移動するよう構成したが、可動体を水平に往復移動する構成を採用し得る。すなわち、表示部を挟む一対の可動体が相互に近接・離間移動するものであれば、その移動方向は限定されるものではない。
(６) 実施例では、可動体を直線的に往移移動するよう構成したが、曲線軌跡を描くように往復移動するものであってもよく、第１位置に一対の可動体が位置した際に両可動体のライン用発光体の発光によって形成される発光ラインが表示部を横切る方向に揃うものであればよい。
(７) 実施例では、表示部を挟む両側の可動体を第１位置に移動した際に、両可動体の間の表示部に表示される発光画像として、両可動体のライン用発光体の発光により形成される発光ラインを繋ぐ形態としたが、該発光画像はこれに限られるものでなく、表示部を挟んで形成される発光ラインが延長して途中で途切れてしまう画像等、各種の画像を採用し得る。
(８) 実施例では、表示部を挟む両側の可動体を第１位置に移動した際に、両可動体の間で表示部が前側に露出するよう構成したが、両可動体を第１位置に移動した際に対向端部が当接または近接し、両可動体のライン用発光体で形成される発光ラインが繋がるようにしてもよい。すなわち、実施例では、左右で対をなす可動体のライン用発光体で形成される発光ラインと、両可動体の間で露出する表示部に表示される発光画像とによって表示部を切り裂く発光演出を行なうようにしたが、対をなす可動体のライン用発光体で形成される発光ラインのみで表示部を切り裂く発光演出を行なう構成を採用し得る。
(９) 図柄表示装置での図柄変動演出中に実行される可動体演出については、１種類の動作演出パターンを実行するものに限らず、複数を組み合わせて行なうようにしてもよい。この場合に、大当り遊技が付与される信頼度が低い動作演出パターンから高い動作演出パターンに段階的に進行するようにすれば、遊技者の期待感を高めることができる。
(１０) 実施例では、動作演出パターンによって大当り遊技が付与される信頼度を変えるよう構成したが、確変状態や変短状態が付与される信頼度を、動作演出パターンによって変えるようにしてもよい。
(１１) 実施例では、複数の形態を備えた第２〜第５動作演出パターンにおいて、同じ演出パターン内における各形態の出現率は同じとなるように可動演出パターン抽選用判定値を振り分けたが、同じ演出パターン内における各形態の出現率についても異なるように可動演出パターン抽選用判定値を振り分けてもよい。
(１２) 実施例では、パチンコ球が一定の確率で入賞可能な第１始動入賞装置と、パチンコ球の入賞確率を可変可能な第２始動入賞装置とを始動入賞手段として備え、各始動入賞手段毎に検出手段を設けて個別にパチンコ球の入賞を検出するよう構成したが、該第１および第２始動入賞手段の入賞検出手段を共通にしてもよい。すなわち、第１始動入賞手段への入賞と、第２始動入賞手段への入賞とを区別しないよう構成してもよい。
(１３) 実施例においてメイン制御手段(メイン制御ＣＰＵ)が備える機能の全部または一部をサブ制御手段(統括制御ＣＰＵ)が備えるようにしてもよく、反対にサブ制御手段が備える機能の全部または一部をメイン制御手段が備えるようにしてもよい。そして実施例では、メイン制御基板とサブ制御基板(統括制御基板)とを分けて設けるようにしたが、単一の制御基板とすることもできる。すなわち、実施例におけるメイン制御手段およびサブ制御手段の機能を、単一の制御基板に設けた制御手段(ＣＰＵ)が備えるようにしてもよい。更に、別途制御基板を備えて、実施例のメイン制御手段やサブ制御手段が備える機能の全部また一部を、別の制御手段に備えさせてもよい。
(１４) また、実施例において統括制御手段(統括制御ＣＰＵ)が備える機能の全部または一部を表示制御手段(表示制御ＣＰＵ)が備えるようにしてもよく、反対に表示制御手段が備える機能の全部または一部を統括制御手段が備えるようにしてもよい。そして実施例では、統括制御基板(統括制御ＣＰＵ)と表示制御基板(表示制御ＣＰＵ)とを分けて設けるようにしたが、単一の制御基板とすることもできる。すなわち、実施例における統括制御手段および表示制御手段の機能を、単一の制御基板に設けた制御手段(ＣＰＵ)が備えるようにしてもよい。また、発光制御を行うランプ制御手段や可動体制御を行う可動体制御手段に関しても同様に、統括制御手段が兼用することができる。
(１５) 実施例では、第１特典遊技状態が付与されている状態を確変状態としたが、これに限られるものではなく、第１特典遊技状態および第２特典遊技状態を組み合わせた状態を確変状態とすることもできる。この場合に、第１特典遊技状態および第２特典遊技状態の何れも付与されていない状態を非確変状態とすることができる。
(１６) 遊技機としては、パチンコ機に限られるものではなく、アレンジボール機やパチンコ球を用いたスロットマシン等、その他各種の遊技機であってもよい。
【符号の説明】
【０１２３】
１８ 図柄表示装置
１８ａ 表示部
２１ 遊技盤
２１ａ 遊技領域
３８ 第１可動体
３９ 第２可動体
４２ 第３可動体
４３ 第４可動体
５０ 第１駆動モータ(駆動手段)
５５ａ 第１ライン用発光体(発光手段)
６８ 第２駆動モータ(駆動手段)
７３ａ 第２ライン用発光体(発光手段)
８６ 第３駆動モータ(駆動手段)
９１ａ 第３ライン用発光体(発光手段)
１０４ 第４駆動モータ(駆動手段)
１０９ａ 第４ライン用発光体(発光手段)
１１６ 第１照明装置(第２の発光手段)
１１７ 第２照明装置(第２の発光手段)
１１８ 第３照明装置(第２の発光手段)
１１９ 第４照明装置(第２の発光手段)
１２３ａ メイン制御ＣＰＵ(制御手段,特典判定手段)
１２４ａ 統括制御ＣＰＵ(制御手段,演出パターン決定手段)
Ｍ１ 第１演出装置(演出装置)
Ｍ２ 第２演出装置(演出装置)
Ｌ１ 第１発光ライン(発光ライン)
Ｌ２ 第２発光ライン(発光ライン)
Ｌ３ 第３発光ライン(発光ライン)
Ｌ４ 第４発光ライン(発光ライン)
【図１】
2014028088.tif 000003
【図２】
2014028088.tif 000004
【図３】
2014028088.tif 000005
【図４】
2014028088.tif 000006
【図５】
2014028088.tif 000007
【図６】
2014028088.tif 000008
【図７】
2014028088.tif 000009
【図８】
2014028088.tif 000010
【図９】
2014028088.tif 000011
【図１０】
2014028088.tif 000012
【図１１】
2014028088.tif 000013
【図１２】
2014028088.tif 000014
【図１３】
2014028088.tif 000015
【図１４】
2014028088.tif 000016
【図１５】
2014028088.tif 000017
【図１６】
2014028088.tif 000018
【図１７】
2014028088.tif 000019
【図１８】
2014028088.tif 000020
【図１９】
2014028088.tif 000021
【図２０】
2014028088.tif 000022
【図２１】
2014028088.tif 000023
【図２２】
2014028088.tif 000024
【図２３】
2014028088.tif 000025
【図２４】
2014028088.tif 000026
【図２５】
2014028088.tif 000027
【図２６】
2014028088.tif 000028
【図２７】
2014028088.tif 000029